(57)【要約】本発明の一実施態様は、信号を受け取り、受け取った信号の結果として照明状態を変更するインテリジェントライティングデバイスに関する。ライティングデバイスは、受け取った信号に応答して、色相、彩度、および明度を変更することができる。このようなデバイスを使用する１つの例は、ある事象に応答して、特定の色を表示することである。実施態様としては、とりわけ、車両のライティングシステム、情報キューブ（１３００）、ディスプレイパネル用のバックライトシステム（２０００）、およびパッケージ状態のインジケータ（２３０２、２３０４）がある。
2004524650.tif 000002
【特許請求の範囲】
【請求項１】
情報信号を受け取るステップ、
入力接続をさらに含むＬＥＤ照明デバイスを提供するステップ、
前記情報信号を照明制御信号に変換するためのプロセッサを提供するステップ、および
前記照明制御信号を前記入力接続に通信するステップを含み、前記照明デバイスが前記情報信号に対応して色を変える、情報提供の方法。
【請求項２】
情報信号が、データベース、ワールドワイドウエブ、ネットワーク情報、ソフトウエアプログラム、および情報伝送の少なくとも１つから生成される、請求項１に記載の方法。
【請求項３】
情報信号が、金融情報、環境情報、コンピュータ状態情報、通知情報、電子メイル通知情報、および状態情報の少なくとも１つを含む、請求項２に記載の方法。
【請求項４】
プロセッサが、コントローラ、アドレス指定可能コントローラ、マイクロプロセッサ、マイクロコントローラ、アドレス指定可能マイクロプロセッサ、コンピュータ、プログラマブルプロセッサ、プログラマブルコントローラ、専用プロセッサ、専用コントローラ、コンピュータ、およびラップトップコンピュータの少なくとも１つである、請求項１に記載の方法。
【請求項５】
ＬＥＤ照明デバイスが、
少なくとも２つの異なるスペクトルを生成する少なくとも２つのＬＥＤと、
第２のプロセッサと、
前記少なくとも２つのＬＥＤに供給される電力を独立に制御する、少なくとも２つのコントローラであって、照明プロセッサと関連する信号入力をさらに含むと共に、前記信号入力に通信される信号に応答する、前記少なくとも２つのコントローラと、
前記ＬＥＤによって照明されるように配設された光透過材料とを含む、請求項１に記載の方法。
【請求項６】
少なくとも２つの異なるスペクトルを生成する少なくとも２つのＬＥＤを含むＬＥＤ照明デバイスを提供するステップ、
プロセッサを提供するステップ、
前記少なくとも２つのＬＥＤに供給される電力を独立に制御する、少なくとも２つのコントローラを提供するステップであって、前記少なくとも２つのコントローラが、前記プロセッサと関連する信号入力をさらに含むと共に、該信号入力に通信される信号に応答する前記ステップ、
光透過材料を提供するステップであって、前記ＬＥＤが前記光透過材料を照明するように配設する前記ステップ、
前記プロセッサと関連する信号入力接続を提供するステップ、および
前記信号入力接続に情報信号を提供するステップを含み、
前記プロセッサが、前記情報信号を照明制御信号に変換すると共に、前記照明デバイスが前記情報信号に応じて色を変える、情報提供の方法。
【請求項７】
プロセッサが、コントローラ、アドレス指定可能コントローラ、マイクロプロセッサ、マイクロコントローラ、アドレス指定可能マイクロプロセッサ、コンピュータ、プログラマブルプロセッサ、プログラマブルコントローラ、専用プロセッサ、専用コントローラ、コンピュータ、およびラップトップコンピュータの少なくとも１つである、請求項６に記載の方法。
【請求項８】
少なくとも２つの異なるスペクトルを生成する少なくとも２つのＬＥＤ、
プロセッサ、
前記少なくとも２つのＬＥＤに供給される電力を独立に制御する少なくとも２つの電力であって、前記少なくとも２つの電力が、前記プロセッサと関連する信号入力をさらに含むと共に、前記少なくとも２つのコントローラが、該信号入力に通信される信号に応答する、前記少なくとも２つの電力、
前記ＬＥＤによって照明されるように配設された光透過材料、および
前記プロセッサと関連する情報信号入力を含む、情報システム。
【請求項９】
プロセッサと関連する第２のプロセッサをさらに含み、該第２のプロセッサが、情報信号をライティング制御信号に変換して、該ライティング制御信号を前記プロセッサに通信する、請求項８に記載の情報システム。
【請求項１０】
第２のプロセッサと関連するユーザインタフェースをさらに含む、請求項９に記載の情報システム。
【請求項１１】
ユーザインタフェースが、コンピュータ、ウエブブラウザ、ウエブサイト、タッチスクリーン、ＬＣＤスクリーン、プラズマスクリーン、およびラップトップコンピュータの少なくとも１つである、請求項１０に記載の情報システム。
【請求項１２】
第２のプロセッサが、コンピュータ、マイクロコンピュータ、マイクロプロセッサ、およびラップトップコンピュータの少なくとも１つである、請求項９に記載の情報システム。
【請求項１３】
ライティング制御信号としてフォーマットされた情報信号を受け取るステップ、
入力接続をさらに含むＬＥＤ照明デバイスを提供するステップ、および
前記入力接続に前記情報信号を通信するステップを含み、前記照明デバイスが前記情報信号に対応して色を変えると共に、その色の色相、彩度および強度が受け取った情報を表わす、情報提供の方法。
【請求項１４】
ＬＥＤ照明デバイスが、
少なくとも２つの異なるスペクトルを生成する少なくとも２つのＬＥＤ、
プロセッサ、
前記少なくとも２つのＬＥＤに供給される電力を独立に制御する少なくとも２つのコントローラであって、
前記プロセッサと関連する信号入力をさらに含むと共に、
該信号入力に通信される信号に応答する、前記少なくとも２つのコントローラ、および
前記ＬＥＤによって照明されるように配設された光透過材料を含む、請求項１３に記載の方法。
【請求項１５】
ＬＥＤ照明デバイスによって表示される情報をユーザが選択するためのユーザインタフェースを提供するステップ、
前記選択された情報をライティング制御信号に変換するプロセッサを提供するステップ、および
前記ライティング制御信号を出力ポートに通信するステップを含む、情報信号をライティング制御信号に変換する方法。
【請求項１６】
情報が、ウエブサイト、ウエブページ、ハイパーリンク、コンピュータ設定、コンピュータシステム設定、電子メイル設定、コンピュータモニタソフトウエア、モニタリングソフトウエア、およびコンピュータソフトウエアの少なくとも１つから選択される、請求項１５に記載の方法。
【請求項１７】
プロセッサが、コンピュータ、マイクロコンピュータ、マイクロプロセッサ、およびラップトップコンピュータの少なくとも１つである、請求項１５に記載の方法。
【請求項１８】
少なくとも２つの異なるスペクトルを生成する少なくとも２つのＬＥＤ、
プロセッサ、
前記少なくとも２つのＬＥＤに供給される電力を独立に制御する少なくとも２つのコントローラであって、
前記プロセッサと関連する信号入力をさらに含むと共に、
該信号入力に通信される信号に応答する、前記少なくとも２つのコントローラ、
前記ＬＥＤによって照明されるように配設された光透過材料、および
前記プロセッサと関連する情報信号入力を含む、コンピュータ周辺装置。
【請求項１９】
プロセッサが、コントローラ、アドレス指定可能コントローラ、マイクロプロセッサ、マイクロコントローラ、アドレス指定可能マイクロプロセッサ、コンピュータ、プログラマブルプロセッサ、プログラマブルコントローラ、専用プロセッサ、専用コントローラ、コンピュータ、およびラップトップコンピュータの少なくとも１つである、請求項１８に記載のコンピュータ周辺装置。
【請求項２０】
少なくとも２つのコントローラが、パルス幅変調器、パルス振幅変調器、パルス変位変調器、レジスタラダー、電流供給源、電圧供給源、電圧ラダー、および電圧コントローラの少なくとも１つである、請求項１８に記載のコンピュータ周辺装置。
【請求項２１】
情報を表す画像を表示するユーザインタフェースを提供するステップ、
前記ユーザインタフェースから情報を選択するステップ、
前記情報をライティング制御信号に変換するステップ、および
前記ライティング制御信号を通信ポートに通信するステップを含む、プロセッサによって実行可能な情報復号化の方法。
【請求項２２】
ユーザインタフェースが、コンピュータを含む、請求項２１に記載の方法。
【請求項２３】
通信ポートが、ＵＳＢポート、シリアルポート、パラレルポート、ファイアワイヤポート、光ポートおよび高速通信ポートを含む、請求項２１に記載の方法。
【請求項２４】
少なくとも１つのＬＥＤ、
複数のキーが少なくとも前記少なくとも１つのＬＥＤに関連して、関連するキーをライティングする機能を提供するコンピュータキーボード、および
プログラム入力を含み、制御信号を前記少なくとも１つのＬＥＤに通信する、コントローラを含む、コンピュータキーボード。
【請求項２５】
プログラム信号を生成するソフトウエアをさらに含み、該ソフトウエアが、プログラム入力に通信される、請求項２４に記載のコンピュータキーボード。
【請求項２６】
制御信号に応答して複数の照明効果を提供する能力のある照明システムを提供するステップ、
情報を処理して、照明システムへの入力を供給する能力のある情報システムを提供するステップ、および
前記照明システムを制御して、情報状態に応答して環境を照明するステップとを含む、情報に応答して照明を提供する方法。
【請求項２７】
情報システムが、コンピュータネットワークに接続されている、請求項２６に記載の方法。
【請求項２８】
情報が、株式情報、会計情報、会計収支情報、取引情報、取引完了情報、貿易情報、貿易完了情報、ゲーミング情報、賭け金情報、ギャンブル情報、純資産情報、降雨情報、タスク完了情報、金融情報、気象情報、スポーツ情報、ビジネス情報、個人情報、温度情報、気象予測情報、交通情報、ニュース情報、フライト情報、旅行情報、旅行案内情報、湿度情報、コンピュータ情報、性能情報、水位情報、メンテナンス情報、セキュリティ情報、安全情報、警報情報、環境状態情報、個人情報、通信情報、メッセージ情報、健康情報、ゲーム情報、およびエンターテインメント情報からなる群から選択される、請求項２７の方法。
【請求項２９】
照明システムがタイル上に配置され、該タイルが、照明されることによって情報システムからの情報を反映する、請求項２６に記載の方法。
【請求項３０】
照明システムが、電気器具を照明することによって、その電気器具の状態についての情報を反映する、請求項２６に記載の方法。
【請求項３１】
電気器具が、オーブン、マイクロウエーブオーブン、ラジオ、冷蔵庫、洗濯機、乾燥機、食器洗い機、トースタ、オーブントースタ、ミキサ、ブレンダ、ゲームシステム、ゲームコンソール、パーソナルゲームシステム、ハンドヘルドデバイス、ハンドヘルドゲームシステム、セルラーフォン、フォン、パーソナルディジタルアシスタンツ、ネットワークコンピュータ、ラップトップコンピュータ、コンピュータ、ラップトップ、パーソナルコンピュータ、サーバ、テレビ、ＶＣＲ、ＤＶＤプレーヤー、受信装置、ステレオシステム、衛星受信装置、ケーブルボックス、コンパクトディスクプレーヤー、およびスピーカからなる群から選択される、請求項３０に記載の方法。
【請求項３２】
照明システムによって複数の色で照明されるように適合された電気器具のカバーを提供するステップをさらに含む、請求項３１に記載の方法。
【請求項３３】
照明システムが、複数モードの照明能力を有する、請求項２６に記載の方法。
【請求項３４】
照明システムが、色相、彩度、オン・オフ、および強度の少なくとも２つを、情報のインジケータとして変えることのできる、請求項３３に記載の方法。
【請求項３５】
照明システムが、第２のデバイスに情報を送るように構成される、請求項２６に記載の方法。
【請求項３６】
情報信号を受信する受信装置、
入力接続をさらに含むＬＥＤ照明デバイス、
前記情報信号を照明制御信号に変換するためのプロセッサ、および
前記照明制御信号を前記入力接続に通信するためのコントローラを含み、前記照明デバイスが、前記情報信号に対応して色を変える、情報システム。
【請求項３７】
情報信号が、データベース、ワールドワイドウエブ、ネットワーク情報、ソフトウエアプログラム、および情報伝送の少なくとも１つから生成される、請求項３６に記載のシステム。
【請求項３８】
情報信号が、金融情報、環境情報、コンピュータ状態情報、通知情報、電子メイル通知情報、および状態情報の少なくとも１つを含む、請求項３７に記載のシステム。
【請求項３９】
プロセッサが、コントローラ、アドレス指定可能コントローラ、マイクロプロセッサ、マイクロコントローラ、アドレス指定可能マイクロプロセッサ、コンピュータ、プログラマブルプロセッサ、プログラマブルコントローラ、専用プロセッサ、専用コントローラ、コンピュータ、およびラップトップコンピュータの少なくとも１つである、請求項３６に記載のシステム。
【請求項４０】
ＬＥＤ照明デバイスが、
少なくとも２つの異なるスペクトルを生成する少なくとも２つのＬＥＤ、
第２のプロセッサ、
前記少なくとも２つのＬＥＤに供給される電力を独立に制御する少なくとも２つのコントローラであって、
照明プロセッサと関連する信号入力をさらに含むと共に、
前記信号入力に通信される信号に応答する、前記少なくとも２つのコントローラ、および
ＬＥＤによって照明されるように配設された光透過材料を含む、請求項３６に記載のシステム。
【請求項４１】
少なくとも２つの異なるスペクトルを生成する少なくとも２つのＬＥＤを含む、ＬＥＤ照明デバイス、
プロセッサ、
少なくとも２つのＬＥＤに供給される電力を独立に制御する少なくとも２つのコントローラであって、プロセッサと関連する信号入力をさらに含むと共に、信号入力に通信される信号に応答する、前記少なくとも２つのコントローラ、
ＬＥＤによって照明されるように配設された光透過材料、および
前記プロセッサと関連する信号入力接続を含み、
前記プロセッサが情報信号を照明制御信号に変換すると共に、前記照明デバイスが前記情報信号に対応して色を変える、情報システム。
【請求項４２】
プロセッサが、コントローラ、アドレス指定可能コントローラ、マイクロプロセッサ、マイクロコントローラ、アドレス指定可能マイクロプロセッサ、コンピュータ、プログラマブルプロセッサ、プログラマブルコントローラ、専用プロセッサ、専用コントローラ、コンピュータ、およびラップトップコンピュータの少なくとも１つである、請求項４１に記載のシステム。
【請求項４３】
少なくとも２つの異なるスペクトルを生成する少なくとも２つのＬＥＤを含むＬＥＤ照明デバイスを提供するステップ、
プロセッサを提供するステップ、
前記少なくとも２つのＬＥＤに供給される電力を独立に制御する、少なくとも２つの電源を提供するステップであって、少なくとも２つの電源が、プロセッサと関連する信号入力をさらに含むと共に、前記少なくとも２つのコントローラが前記信号入力に通信される信号に応答する前記ステップ、
ＬＥＤによって照明されるように配設された、光透過材料を提供するステップ、および
プロセッサと関連する情報信号入力を提供するステップを含む、情報システムを提供する方法。
【請求項４４】
プロセッサと関連する第２のプロセッサを提供するステップをさらに含み、前記第２のプロセッサが、情報信号をライティング制御信号に変換して、該ライティング制御信号を前記プロセッサに通信する、請求項４３に記載の方法。
【請求項４５】
第２のプロセッサと関連するユーザインタフェースを提供するステップをさらに含む、請求項４４に記載の方法。
【請求項４６】
ユーザインタフェースが、コンピュータ、ウエブブラウザ、ウエブサイト、タッチスクリーン、ＬＣＤスクリーン、プラズマスクリーン、およびラップトップコンピュータの少なくとも１つである、請求項４５に記載の方法。
【請求項４７】
プロセッサが、コンピュータ、マイクロコンピュータ、マイクロプロセッサ、およびラップトップコンピュータの少なくとも１つである、請求項４６に記載の方法。
【請求項４８】
ライティング制御信号としてフォーマットされている情報信号を受信する受信装置、
入力接続をさらに含むＬＥＤ照明デバイス、および
前記情報信号を前記入力接続に通信するためのコントローラを含み、前記照明デバイスが、前記情報信号に対応して色を変えると共に、その色の色相、彩度および強度の少なくとも１つが受信した情報を表す、情報システム。
【請求項４９】
ＬＥＤ照明デバイスが、
少なくとも２つの異なるスペクトルを生成する少なくとも２つのＬＥＤ、
プロセッサ、
少なくとも２つのＬＥＤに供給される電力を独立に制御する少なくとも２つのコントローラであって、
前記照明プロセッサと関連する信号入力をさらに含むと共に、該信号入力に通信される信号に応答する、前記少なくとも２つのコントローラ、および
前記ＬＥＤによって照明されるように配設された光透過とを含む、請求項４８に記載のシステム。
【請求項５０】
ＬＥＤ照明デバイスで表示される情報をユーザが選択するためのユーザインタフェース、
前記選択された情報をライティング制御信号に変換するプロセッサ、および
前記ライティング制御信号を出力ポートに通信するためのコントローラを含む、情報システム。
【請求項５１】
情報が、ウエブサイト、ウエブページ、ハイパーリンク、コンピュータ設定、コンピュータシステム設定、電子メイル設定、コンピュータモニタソフトウエア、モニタリングソフトウエア、およびコンピュータソフトウエアの少なくとも１つから選択される、請求項５０に記載のシステム。
【請求項５２】
プロセッサが、コンピュータ、マイクロコンピュータ、マイクロプロセッサ、およびラップトップコンピュータの少なくとも１つである、請求項５０に記載のシステム。
【請求項５３】
少なくとも２つの異なるスペクトルを生成する少なくとも２つのＬＥＤを提供するステップ、
プロセッサを提供するステップ、
少なくとも２つのＬＥＤに供給される電力を独立に制御する、少なくとも２つのコントローラを提供するステップであって、
該少なくとも２つのコントローラが、前記プロセッサと関連する信号入力をさらに含むと共に、
該信号入力に通信される信号に応答する前記ステップ、
前記ＬＥＤによって照明されるように配設された、光透過材料を提供するステップ、および
前記プロセッサと関連する情報信号入力を提供するステップを含む、コンピュータ周辺装置を提供する方法。
【請求項５４】
プロセッサが、コントローラ、アドレス指定可能コントローラ、マイクロプロセッサ、マイクロコントローラ、アドレス指定可能マイクロプロセッサ、コンピュータ、プログラマブルプロセッサ、プログラマブルコントローラ、専用プロセッサ、専用コントローラ、コンピュータ、およびラップトップコンピュータの少なくとも１つである、請求項５３に記載の方法。
【請求項５５】
少なくとも２つのコントローラが、パルス幅変調器、パルス振幅変調器、パルス変位変調器、レジスタラダー、電流供給源、電圧供給源、電圧ラダー、および電圧コントローラの少なくとも１つである、請求項５３に記載の方法。
【請求項５６】
情報を表す画像が表示され、かつユーザがそこから情報を選択することのできるユーザインタフェース、
前記情報をライティング制御信号に変換する変換モジュール、および
前記ライティング制御信号を通信ポートに通信するための通信設備とを含む、プロセッサによって実行可能な情報復号化システム。
【請求項５７】
ユーザインタフェースが、コンピュータを含む、請求項５６に記載のシステム。
【請求項５８】
通信ポートが、ＵＳＢポート、シリアルポート、パラレルポート、ファイアワイヤポート、光ポートおよび高速通信ポートを含む、請求項５７に記載のシステム。
【請求項５９】
少なくとも１つのＬＥＤを提供するステップ、
複数のキーが少なくとも前記少なくとも１つのＬＥＤに関連して、関連するキーをライティングする機能を提供する、コンピュータキーボードを提供するステップ、および
プログラム入力を含み、制御信号を前記少なくとも１つのＬＥＤに通信する、コントローラを提供するステップを含む、コンピュータキーボードを提供する方法。
【請求項６０】
プログラム入力に通信されるプログラム信号を生成するソフトウエアを提供するステップをさらに含む、請求項５９に記載の方法。
【請求項６１】
制御信号に応答して複数の照明効果を提供することのできる照明システム、
情報を処理して、照明システムに入力を供給することのできる情報システム、および
前記照明システムを制御して、前記情報状態に応答して環境を照明するコントローラとを含む、情報システム。
【請求項６２】
情報システムが、コンピュータネットワークに接続されている、請求項６１に記載のシステム。
【請求項６３】
情報が、株式情報、純資産情報、降雨情報、タスク完了情報、金融情報、気象情報、スポーツ情報、ビジネス情報、個人情報、温度情報、気象予測情報、交通情報、ニュース情報、フライト情報、旅行情報、旅行案内情報、湿度情報、コンピュータ情報、性能情報、水位情報、メンテナンス情報、セキュリティ情報、安全情報、警報情報、環境状態情報、通信情報、メッセージ情報、健康情報、ゲーム情報、およびエンターテインメント情報からなる群から選択される、請求項６２の方法。
【請求項６４】
照明システムがタイル上に配置され、該タイルが照明されることによって情報システムからの情報を反映する、請求項６２に記載の方法。
【請求項６５】
照明システムが、電気器具を照明することによって、電気器具の状態についての情報を反映する、請求項６１に記載のシステム。
【請求項６６】
電気器具が、オーブン、マイクロウエーブオーブン、ラジオ、冷蔵庫、洗濯機、乾燥機、食器洗い機、トースタ、トースタオーブン、ミキサ、ブレンダ、ゲームシステム、ゲームコンソール、パーソナルゲームシステム、ハンドヘルドデバイス、ハンドヘルドゲームシステム、セルラーフォン、フォン、パーソナルディジタルアシスタンツ、ネットワークコンピュータ、ラップトップコンピュータ、コンピュータ、ラップトップ、パーソナルコンピュータ、サーバ、テレビ、ＶＣＲ、ＤＶＤプレーヤー、受信装置、ステレオシステム、衛星受信装置、ケーブルボックス、コンパクトディスクプレーヤー、およびスピーカからなる群から選択される、請求項６５に記載のシステム。
【請求項６７】
照明システムによって複数の色で照明されるように適合されている電気器具用カバーをさらに含む、請求項６６に記載のシステム。
【請求項６８】
照明システムが、複数モードの照明能力を有する、請求項６１に記載のシステム。
【請求項６９】
照明システムが、情報のインジケータとして、色相、彩度、オン・オフおよび強度の少なくとも２つを変えることのできる、請求項６８の記載のシステム。
【請求項７０】
照明システムが、第２のデバイスに情報を送るように構成されている、請求項６１に記載のシステム。
【請求項７１】
モノクロ画像ＬＣＤパネル、
少なくとも２つの異なる色を発光して、ＬＣＤパネルをバックライト照明するための、少なくとも２つのＬＥＤ、および
プログラム信号入力と関連して、前記少なくとも２つのＬＥＤを制御するための、コントローラを含む、モノクロ画像ＬＣＤディスプレイ。
【請求項７２】
コントローラと関連して、ライティング制御信号を記憶するためのメモリをさらに含む、請求項７１に記載のシステム。
【請求項７３】
プログラム信号入力が、ユーザセレクタ、ボタン、ダイアル、スライダ、およびセレクタスイッチの少なくとも１つであり、かつ前記プログラム信号入力が、所望のライティング状態を選択するために使用される、請求項７１に記載のシステム。
【請求項７４】
プログラム信号が、ネットワーク、システム、外部信号および内部信号の少なくとも１つから受け取られ、かつ前記プログラム信号がプログラム信号入力に通信される、請求項７１に記載のシステム。
【請求項７５】
プログラム信号が、電磁気伝送、ＲＦ伝送、ＩＲ伝送、マイクロ波伝送、音響伝送、ネットワーク、電線およびケーブルの少なくとも１つを介して受信される、請求項７４に記載のシステム。
【請求項７６】
第２のパネルをさらに含み、ＬＥＤライティングが前記第２のパネルを照明すると共に、前記第２のパネルがＬＣＤパネルの背後に配置され、これによっって前記第２のパネルが、前記ＬＣＤパネルにバックライトを提供する、請求項７１に記載のシステム。
【請求項７７】
コントローラが、少なくとも２つのＬＥＤの、少なくとも２つを独立に制御する、請求項７１に記載のシステム。
【請求項７８】
コントローラが、パルス幅変調でＬＥＤを制御する、請求項７７に記載のシステム。
【請求項７９】
モノクロ画像ＬＣＤパネルと関連する電話器、
少なくとも２つの異なる色を発光して、ＬＣＤパネルをバックライト照明する、少なくとも２つのＬＥＤ、および
プログラム信号入力と関連して、ＬＥＤを制御するためのコントローラを含む、電話器。
【請求項８０】
電話器が、電話器、フォン、セルラーフォン、ディジタルフォン、アナログフォン、通信デバイス、ゲームデバイス、携帯ゲームデバイス、パーソナルディジタルアシスタンツ、ページャ、計算機、携帯デバイス、コンピュータ、情報デバイス、情報スクリーン、表示スクリーン、ＭＰ３プレーヤー、音楽プレーヤー、ＣＤプレーヤー、およびＤＶＤプレーヤーの少なくとも１つをさらに含む、請求項７９に記載のシステム。
【請求項８１】
モノクロ画像ＬＣＤパネル、
少なくとも２つの異なる色を発光して、ＬＣＤパネルをバックラト照明するための、少なくとも２つのＬＥＤ、および
センサと関連して、前記少なくとも２つのＬＥＤを制御するための、コントローラを含む、モノクロ画像ＬＣＤディスプレイ。
【請求項８２】
モノクロ画像ＬＣＤスクリーンを提供するステップ、
プログラム信号に応答して色を変える、スクリーン用のバックライトシステムを提供するステップ、
通話の発信元に関する情報を含むプログラム信号を提供するステップ、および
前記情報に対応してバックライトシステムの色を変えるステップを含む、通話接続の発信元を特定する方法。
【請求項８３】
少なくとも２つの異なる色である少なくとも２つのＬＥＤ、
該少なくとも２つのＬＥＤを独立に制御すると共に、プログラム信号入力と関連するコントローラ、および
通話接続の発信元に関連する情報を含むプログラム信号を含む、前記プログラム信号がプログラム信号入力に通信される、通話接続の発信元を特定するための情報システム。
【請求項８４】
液晶を有するパネルを提供するステップ、
異なる色の複数のＬＥＤを含む、パネル用照明システムを提供するステップ、および
情報システムからの情報を表す入力信号に応答して、前記パネルを照明するために前記ＬＥＤを制御するステップを含む、情報伝達の方法。
【請求項８５】
パネルおよび照明システムが、フォン、パーソナルディジタルアシスタンツ、ハンドヘルドデバイス、モバイルデバイス、セルラーフォン、通信デバイス、ディジタルフォン、アナログフォン、ゲームデバイス、ポータブルデバイス、ページャ、計算器、コンピュータ、情報デバイス、ディスプレイスクリーン、ＭＰ３プレーヤー、音楽プレーヤー、ミニディスクプレーヤー、ＣＤプレーヤー、ＤＶＤプレーヤー、および衛星フォンの少なくとも１つに配置されている、請求項８４に記載の方法。
【請求項８６】
入力信号が、着信呼と関係し、照明システムが前記通話についての情報を表示するように制御される、請求項８４に記載の方法。
【請求項８７】
照明システムが、着信呼のインジケータとしてディスプレイを変更する、請求項８６に記載の方法。
【請求項８８】
入力信号が、照明の色調、彩度、強度、パターンおよび期間から選択される特有の照明条件によって、発信者を識別する、請求項８６に記載の方法。
【請求項８９】
照明条件が、特定の発信者に関連する色である、請求項８８に記載の方法。
【請求項９０】
状態または情報の少なくとも１つを検知するためのセンサを提供するステップをさらに含み、入力信号がセンサからの信号に関連する、請求項８５に記載の方法。
【請求項９１】
入力信号が、株式情報、会計情報、会計収支情報、取引情報、取引完了情報、貿易情報、貿易完了情報、ゲーミング情報、賭け金情報、ギャンブル情報、自己資本情報、降雨情報、タスク完了情報、金融情報、気象情報、スポーツ情報、ビジネス情報、個人情報、温度情報、気象予測情報、交通情報、ニュース情報、フライト情報、旅行情報、旅行案内情報、湿度情報、コンピュータ情報、性能情報、水位情報、メンテナンス情報、セキュリティ情報、安全情報、警報情報、環境状態情報、通信情報、メッセージ情報、健康情報、ゲーム情報、およびエンターテインメント情報からなる群から選択される情報と関連する、請求項８４に記載の方法。
【請求項９２】
パネルおよび照明システムが無線デバイス内に配置されており、入力信号が株式市場情報に関係し、前記無線デバイスのディスプレイの背景色が、選択された株式情報における変化に合わせて変化する、請求項８４に記載の方法。
【請求項９３】
株式情報が、ポートフォリオ値についての情報である、請求項９２に記載の方法。
【請求項９４】
株式情報が、証券の価格についての情報である、請求項９２に記載の方法。
【請求項９５】
株式情報が、取引の状態についての情報である、請求項９２に記載の方法。
【請求項９６】
株式情報が、口座についての情報である、請求項９２に記載の方法。
【請求項９７】
株式情報が、口座の残高についての情報である、請求項９６に記載の方法
【請求項９８】
パネルが、ゲームのためのディスプレイを含み、信号入力がゲームからの入力に関連する、請求項８４に記載の方法。
【請求項９９】
入力情報およびパネルの照明が、ゲームにおける事象の発生に基づいて変化する、請求項９８に記載の方法。
【請求項１００】
入力情報およびパネルの照明が、ゲームにおける対象物の特性に基づいて変化する、請求項９８に記載の方法。
【請求項１０１】
モノクロ画像ＬＣＤパネルを取得するステップ、
前記ＬＣＤパネルをバックライト照明するための少なくとも２つのＬＥＤを提供し、該少なくとも２つのＬＥＤが少なくとも２つの異なる色を発光するステップ、および
前記少なくとも２つのＬＥＤを制御するためのコントローラを提供するステップを含み、前記コントローラがプログラム信号入力と関連する、モノクロ画像ＬＣＤディスプレイをライティングするための方法。
【請求項１０２】
ライティング制御信号を記憶するメモリを提供し、該メモリをコントローラと関連させるステップをさらに含む、請求項１０１に記載の方法。
【請求項１０３】
プログラム信号入力が、ユーザセレクタ、ボタン、ダイアル、スライダ、およびセレクタスイッチの少なくとも１つであり、前記プログラム信号入力を、所望のライティング条件を選択するために使用する、請求項１０１に記載の方法。
【請求項１０４】
プログラム信号を、ネットワーク、システム、外部信号および内部信号の少なくとも１つから受け取り、前記プログラム信号をプログラム信号入力に通信する、請求項１０１に記載の方法。
【請求項１０５】
プログラム信号が、電磁気伝送、ＲＦ伝送、ＩＲ伝送、マイクロ波伝送、音響伝送、ネットワーク、電線およびケーブルの少なくとも１つを介して受信される、請求項１０４に記載の方法。
【請求項１０６】
ＬＥＤライティングによって照明される第２のパネルを提供するステップ、および
前記第２のパネルがＬＣＤパネルのバックライトを提供するように、前記第２のパネルをＬＣＤパネルの背後に配置するステップをさらに含む、請求項１０１に記載の方法。
【請求項１０７】
コントローラが、少なくとも２つのＬＥＤの少なくとも２つを独立に制御する、請求項１０１に記載の方法。
【請求項１０８】
コントローラが、パルス幅変調でＬＥＤを制御する、請求項１０７に記載のシステム。
【請求項１０９】
モノクロ画像ＬＣＤパネルと関連する電話を提供するステップ、
前記ＬＣＤパネルをバックライト照明するための少なくとも２つのＬＥＤを提供するステップであって、該少なくとも２つのＬＥＤが、少なくとも２つの異なる色を発光する前記ステップ、および
プログラム信号入力と関連して、前記ＬＥＤを制御するためのコントローラを提供するステップを含む、電話を提供する方法。
【請求項１１０】
電話器が、電話器、フォン、セルラーフォン、ディジタルフォン、アナログフォン、通信デバイス、ゲームデバイス、携帯ゲームデバイス、パーソナルディジタルアシスタンツ、ページャ、計算機、携帯デバイス、コンピュータ、情報デバイス、情報スクリーン、表示スクリーン、ＭＰ３プレーヤー、音楽プレーヤー、ＣＤプレーヤー、およびＤＶＤプレーヤーの少なくとも１つをさらに含む、請求項１０９に記載のシステム
【請求項１１１】
モノクロ画像ＬＣＤパネルを取得するステップ、
少なくとも２つの異なる色を発光して、ＬＣＤパネルをバックライト照明するための、少なくとも２つのＬＥＤを提供するステップ、および
センサと関連して、前記少なくとも２つのＬＥＤを制御するための、コントローラを提供するステップを含む、モノクロ画像ＬＣＤディスプレイを照明する方法。
【請求項１１２】
モノクロ画像ＬＣＤスクリーン、
プログラム信号に応答して色を変える、スクリーン用のバックライトシステム、
電話通話の発信元に関する情報を含む、プログラム信号、および
前記情報信号に対応してバックライトシステムの色を変更するためのコントローラを含む、通話接続の発信元を特定するシステム。
【請求項１１３】
少なくとも２つの異なる色である少なくとも２つのＬＥＤを提供するステップ、
前記少なくとも２つのＬＥＤを独立に制御すると共に、プログラム信号入力と関連するコントローラを提供するステップ、および
通話接続の発信元に関連する情報を含むプログラム信号を提供するステップを含み、前記プログラム信号が前記プログラム信号入力に通信される、通話接続の発信元を特定する方法。
【請求項１１４】
液晶を有するパネル、
異なる色の複数のＬＥＤを含むパネル用の照明システム、および
情報システムからの情報を表す入力信号に応答してパネルを照明するためにＬＥＤを制御するためのコントローラを含む、情報システム。
【請求項１１５】
パネルおよび照明システムが、フォン、パーソナルディジタルアシスタンツ、ハンドヘルドデバイス、モバイルデバイス、セルラーフォン、通信デバイス、ディジタルフォン、アナログフォン、ゲームデバイス、ポータブルデバイス、ページャ、計算器、コンピュータ、情報デバイス、ディスプレイスクリーン、ＭＰ３プレーヤー、音楽プレーヤー、ミニディスクプレーヤー、ＣＤプレーヤー、ＤＶＤプレーヤー、および衛星フォンの少なくとも１つに配置されている、請求項１１４に記載のシステム。
【請求項１１６】
入力信号が、着信呼と関係し、照明システムが通話についての情報を表示するように制御される、請求項１１４に記載のシステム。
【請求項１１７】
照明システムが、着信呼のインジケータとしてディスプレイを変更する、請求項１１４に記載のシステム。
【請求項１１８】
入力信号が、照明の色調、彩度、強度、パターンおよび期間から選択される特有の照明条件によって、発信者を識別する、請求項１１７に記載の方法。
【請求項１１９】
照明条件が、特定の発信者に関連する色である、請求項１１８に記載の方法。
【請求項１２０】
状態または情報の少なくとも１つを検知するためのセンサを含み、入力信号がセンサからの信号に関連する、請求項１１４に記載のシステム。
【請求項１２１】
入力情報が、株式情報、会計情報、会計収支情報、取引情報、取引完了情報、貿易情報、貿易完了情報、ゲーミング情報、賭け金情報、ギャンブル情報、自己資本情報、降雨情報、タスク完了情報、金融情報、気象情報、スポーツ情報、ビジネス情報、個人情報、温度情報、気象予測情報、交通情報、ニュース情報、フライト情報、旅行情報、旅行案内情報、湿度情報、コンピュータ情報、性能情報、水位情報、メンテナンス情報、セキュリティ情報、安全情報、警報情報、環境状態情報、通信情報、メッセージ情報、健康情報、ゲーム情報、およびエンターテインメント情報からなる群から選択される情報と関連する、請求項１１４に記載のシステム。
【請求項１２２】
パネルおよび照明システムが無線デバイス内に配置されており、入力信号が株式市場情報に関係し、前記無線デバイスのディスプレイの背景色が、選択された株式情報における変化に合わせて変化する、請求項１１４に記載のシステム。
【請求項１２３】
株式情報が、ポートフォリオの値についての情報である、請求項１２２に記載のシステム。
【請求項１２４】
株式情報が、証券の値についての情報である、請求項１２２に記載のシステム。
【請求項１２５】
株式情報が、取引の状態についての情報である、請求項１２２に記載のシステム。
【請求項１２６】
株式情報が、口座についての情報である、請求項１２２に記載の方法。
【請求項１２７】
パネルが、ゲームのためのディスプレイを含み、信号入力がゲームからの入力に関連する、請求項１１４に記載のシステム。
【請求項１２８】
入力信号およびパネルの照明が、ゲームにおける事象の発生に基づいて変化する、請求項１２７に記載の方法。
【請求項１２９】
入力信号およびパネルの照明が、ゲームにおける対象物の特性に基づいて変化する、請求項１２７に記載の方法。
【請求項１３０】
少なくとも２つの異なる色のＬＥＤ、
該少なくとも２つの異なる色のＬＥＤを制御すると共に、信号を受信するための受信装置に関連するプロセッサ、
少なくとも２つのＬＥＤが、それを照明するように向けられている、インスツルメントディスプレイ、および
信号を検知し、かつ伝送するためのセンサを含む、情報ライティングを備える自動車用インスツルメントパネル。
【請求項１３１】
エッジライト、バックライト、およびサーフェスライトの少なくとも１つによって、インスツルメントディスプレイを照明するように、ＬＥＤが向けられている、請求項１３０に記載のシステム。
【請求項１３２】
インスツルメントディスプレイが、インスツルメントパネル、パネルタコメータ、スピードメータ、時計、圧力計、温度計、燃料計、バッテリ充電計の少なくとも１つである、請求項１３０に記載のシステム。
【請求項１３３】
プロセッサと関連するメモリをさらに含み、
該メモリが、ライティング制御信号を記憶することができ、前記プロセッサが、ＬＥＤを制御するための制御信号を検索することのできる、請求項１３０に記載のシステム。
【請求項１３４】
少なくとも２つの異なるカラーＬＥＤ、および
該少なくとも２つの異なるカラーＬＥＤを制御すると共に、信号を受信するための受信装置と関連するプロセッサを含み、自動車用装飾ライティングシステム。
【請求項１３５】
受信装置が、電磁気伝送、ＲＦ伝送、ＩＲ伝送、マイクロ波伝送、音響伝送、有線伝送、ケーブル伝送およびネットワーク伝送の少なくとも１つを介して通信を受信することのできる、請求項１３４に記載のシステム。
【請求項１３６】
受信装置が、セレクタスイッチ、手動インジケータ、手動スイッチ、ロータリダイアル、ダイアル、スライドスイッチ、ボタン、およびロッカースイッチの少なくとも１つからの信号を受信する、請求項１３４に記載のシステム。
【請求項１３７】
プロセッサと関連するメモリをさらに含み、
該メモリが、ライティング制御信号を記憶することができ、前記プロセッサが、ＬＥＤを制御するために制御信号を検索することのできる、請求項１３５に記載のシステム。
【請求項１３８】
少なくとも２つの異なるカラーＬＥＤが、ファイバを照明するように配向されている、請求項１３４に記載のシステム。
【請求項１３９】
プロセッサが、少なくとも２つの異なるカラーＬＥＤの強度を独立に制御する、請求項１３０または１３４に記載のシステム。
【請求項１４０】
少なくとも１つのＬＥＤ、
該少なくとも１つのＬＥＤを制御すると共に、信号を受信する受信装置に関連する、プロセッサ、
前記少なくとも１つのＬＥＤがそれを照明するように配向されているディスプレイ、および
信号を検知し、かつ伝送するためのセンサを含む、自動車用情報ライティングシステム。
【請求項１４１】
ディスプレイが、インスツルメントパネル、パネル、タコメータ、スピードメータ、時計、圧力計、温度計、燃料計、バッテリ充電計の少なくとも１つを含む、請求項１４０に記載のシステム。
【請求項１４２】
ディスプレイが、少なくとも１つのＬＥＤがそれを照明のために配向されている材料を含む、請求項１４０に記載のシステム。
【請求項１４３】
情報の項目を表す入力に応答する照明システムを提供するステップ、
該照明システムに入力を供給する情報システムを提供するステップ、および
前記情報システムからの入力に応答する照明を生成するために、ライティングシステムを制御するステップを含む、車両のインテリアを照明する方法。
【請求項１４４】
照明システムが、複数の発光ダイード、およびプロセッサを含む、請求項１４３に記載する方法。
【請求項１４５】
照明システムが、さらにネットワークを含む、請求項１４４に記載の方法。
【請求項１４６】
プロセッサが、パルス幅変調プロセスを使用して発光ダイオードからの照明を制御する、請求項１４５に記載の方法。
【請求項１４７】
情報システムが、状態を検知するためのセンサを含む、請求項１４２に記載の方法。
【請求項１４８】
状態が、外部状態である、請求項１４７に記載の方法。
【請求項１４９】
状態が、車両の内部状態である、請求項１４７に記載の方法。
【請求項１５０】
状態が、車両のメンテナンス状態である、請求項１４７に記載の方法。
【請求項１５１】
状態が、車両のシステムの状態である、請求項１４７に記載の方法。
【請求項１５２】
システムが、モーター、エンジン、電気システム、加熱システム、冷却システム、空調システム、クライメートコントロールシステム、変速システム、潤滑システム、燃焼システム、点火プラグシステム、バルブシステム、ローターシステム、拘束システム、エアバッグシステム、ストレージシステム、ライトシステム、信号システム、ブレーキシステム、加速システム、駆動システム、ディスプレイシステム、ダッシュボードシステム、タコメータシステム、スピードメータシステム、ヘッドアップディスプレイシステム、およびステアリングシステムからなる群から選択される、請求項１５１に記載の方法。
【請求項１５３】
照明システムが、車両のポートに接続されて、車両の選択されたシステムの少なくとも１つからのデータを受け取る、請求項１４３に記載の方法。
【請求項１５４】
照明システムが、システムの状態の診断を示す照明信号を提供する、請求項１５３に記載の方法。
【請求項１５５】
照明システムが、インスツルメントパネル上に配置される、請求項１４３に記載の方法。
【請求項１５６】
照明システムが、タコメータを含む、請求項１５５に記載の方法。
【請求項１５７】
照明システムが、ヘッドアップディスプレイを含む、請求項１４３に記載の方法。
【請求項１５８】
照明が、ディスプレイを含む、請求項１４３に記載の方法。
【請求項１５９】
照明システムが、内部温度、外部温度、オイル温度、エンジン温度、エンジン速度、毎分回転数、オイル圧力、冷却液圧力、ブレーキ配管圧力、車両速度、空気品質、システム設定、緊急事象、衝突危険、交通密度、燃費、燃料残量、バッテリ状態、およびバッテリ充電残量からなる群から選択される情報を表示する、請求項１５８に記載の方法。
【請求項１６０】
情報システムが通信設備を含み、かつ照明システムが通信事象を知らせる照明を表示する、請求項１４３に記載の方法。
【請求項１６１】
通信事象が、電子メイル、フォン通話、セルフォン通話、特定の個人からのメッセージ、および緊急メッセージからなる群から選択される、請求項１６０に記載の方法。
【請求項１６２】
照明システムがカップホルダを照明し、かつ照明システムが光ファイバを含む、請求項１４３に記載の方法。
【請求項１６３】
車両用の照明システムの複数の効果を提供するステップをさらに含み、前記効果が、カラーチェースレインボウ、ストロボ、点滅光、カラーウオッシュ、カラーフェード、選択された色温度の白色光、車両のインテリアの異なる領域に対する異なる色、パターン、ロゴ、意匠、商標、サービスマーク、意匠マークからなる群から選択される、請求項１４３に記載の方法。
【請求項１６４】
照明システムが、セキュリティシステムが装備されているかどうかを表示する、請求項１４３に記載の方法。
【請求項１６５】
照明システムが、車両を好ましい色で照明する、請求項１４３に記載の方法。
【請求項１６６】
照明システムが、ブレーキライトシステムを含む、請求項１４３に記載の方法。
【請求項１６７】
照明システムが、情報システムがブレーキ上の圧力を検知するセンサを含む、請求項１４３に記載の方法。
【請求項１６８】
ブレーキライトシステムからの照明強度が、ブレーキ上でのドライバの足の圧力を示す、請求項１６７に記載の方法。
【請求項１６９】
ブレーキライトシステムが、該ブレーキライトシステム内のライティング要素の照明を繰り返すことによって、点滅するようにプログラムされている、請求項１６８に記載の方法。
【請求項１７０】
要素がＬＥＤである、請求項１６９に記載の方法。
【請求項１７１】
照明システムが、ブレーキライト、ヘッドライト、ハザードライト、フォグライト、ビーコンライト、インジケータライト、方向指示器、テイルライトからなる群から選択される、請求項１４３に記載の方法。
【請求項１７２】
照明システムが、情報システムからの情報に基づいて異なる色で照明するようにプログラムされている、請求項１４３に記載の方法。
【請求項１７３】
照明システムが、気象条件を示し、照明システムが照明システムに好適なカラーを選択する、請求項１７２に記載の方法。
【請求項１７４】
気象条件が霧であり、色がオレンジである、請求項１７３に記載の方法。
【請求項１７５】
照明システムが、車両のフードの下に配置される、請求項１４３に記載の方法。
【請求項１７６】
車両が、照明システムを介してバックライト照明するのに好適なパネルを含む、請求項１４３に記載の方法。
【請求項１７７】
照明システムが、情報の項目を表す色で、パネルをライティングする、請求項１７６に記載の方法。
【請求項１７８】
情報の項目が、着信通信の指標である、請求項１７７に記載の方法。
【請求項１７９】
少なくとも２つの異なるカラーＬＥＤを提供するステップ、
プロセッサを提供するステップであって、該プロセッサが、前記少なくとも２つの異なるカラーＬＥＤを制御し、かつ前記プロセッサが、信号を受け取る受信装置と関連するステップ、
インスツルメントディスプレイを提供するステップであって、前記少なくとも２つのＬＥＤが、前記インスツルメントディスプレイを照明するように配向されているステップ、および
信号を検知し、伝送するためのセンサを提供するステップを含む、情報ライティングを備える自動車用インスツルメントパネルを提供する方法。
【請求項１８０】
ＬＥＤが、エッジライト、バックライト、およびサーフェスライトの少なくとも１つによってインスツルメントディスプレイを照明するように配向されている、請求項１７９に記載の方法。
【請求項１８１】
インスツルメントディスプレイが、インスツルメントパネル、パネルタコメータ、スピードメータ、時計、圧力計、温度計、燃料計、バッテリ充電計の少なくとも１つである、請求項１７９に記載の方法。
【請求項１８２】
メモリを提供するステップをさらに含み、前記メモリがプロセッサと関連し、かつ前記メモリがライティング制御信号を記憶する能力があり、かつ前記プロセッサが前記ＬＥＤを制御するための制御信号を検索する能力がある、請求項１７９に記載の方法。
【請求項１８３】
少なくとも２つの異なるカラーＬＥＤを提供するステップ、および
プロセッサを提供するステップであって、該プロセッサが、少なくとも２つの異なるカラーＬＥＤを制御し、かつ信号を受け取る受信装置と関連するステップを含む、装飾用自動車ライティングシステムを提供する方法。
【請求項１８４】
受信装置が、電磁気、ＲＦ、ＩＲ、マイクロ波、音響、電線、ケーブル、およびネットワークの少なくとも１つの伝送を介して通信を受信する能力のある、請求項１８３に記載の方法。
【請求項１８５】
受信装置が、セレクタスイッチ、マニュアルインジケータ、マニュアルスイッチ、ロータリダイアル、ダイアル、スライドスイッチ、ボタン、ロッカースイッチの少なくとも１つからの信号を受信する、請求項１８３に記載の方法。
【請求項１８６】
プロセッサに関連するメモリを提供するステップをさらに含み、前記メモリがライティング制御信号を記憶する能力があり、プロセッサがＬＥＤを制御するための制御信号を検索する能力のある、請求項１８４または１８５に記載の方法。
【請求項１８７】
少なくとも２つの異なるカラーＬＥＤが、ファイバを照明するように配向されている、請求項１８３に記載の方法。
【請求項１８８】
プロセッサが、少なくとも２つの異なるカラーＬＥＤの強度を独立に制御する、請求項１７９または１８３に記載の方法。
【請求項１８９】
少なくとも１つのＬＥＤを提供するステップ、
プロセッサを提供するステップであって、該プロセッサが、前記少なくとも１つのＬＥＤを制御し、かつ前記プロセッサが信号を受信するための受信装置と関連するステップ、
ディスプレイを提供するステップであって、前記少なくとも１つのＬＥＤが、前記ディスプレイを照明するように配向されているステップ、および
信号を検知し、伝送するためのセンサを提供するステップを含む、自動車用情報ライティングシステムを提供する方法。
【請求項１９０】
ディスプレイが、インスツルメントパネル、パネル、タコメータ、スピードメータ、時計、圧力計、温度計、燃料計、バッテリ充電計の少なくとも１つを含む、請求項１８９に記載の方法。
【請求項１９１】
情報の項目を表す入力に応答する照明システム、
該照明システムへの入力を供給するための情報システム、および
該情報システムからの入力に応答して、照明を生成するために前記ライティングシステムを制御するためのコントローラを含む、車両のインテリア用の照明システム。
【請求項１９２】
照明システムが、複数の発光ダイオードおよび、１つのプロセッサを含む、請求項１９１に記載のシステム。
【請求項１９３】
照明システムが、ネットワークをさらに含む、請求項１９２に記載のシステム。
【請求項１９４】
プロセッサが、発光ダイオードからの照明を制御するために、パルス幅変調プロセスを使用する、請求項１９３に記載のシステム。
【請求項１９５】
情報システムが、状態を検知するためのセンサを含む、請求項１９１に記載のシステム。
【請求項１９６】
状態が、外部状態である、請求項１９５に記載のシステム。
【請求項１９７】
状態が、車両の内部状態である、請求項１９５に記載のシステム。
【請求項１９８】
状態が、車両のメンテナンス状態である、請求項１９５に記載のシステム。
【請求項１９９】
状態が、車両のシステムの状態である、請求項１９５に記載のシステム。
【請求項２００】
システムが、モーター、エンジン、電気システム、加熱システム、冷却システム、空調システム、クライメートコントロールシステム、変速システム、潤滑システム、燃焼システム、点火プラグシステム、バルブシステム、ローターシステム、拘束システム、エアバッグシステム、ストレージシステム、ライトシステム、信号システム、ブレーキシステム、加速システム、駆動システム、ディスプレイシステム、ダッシュボードシステム、タコメータシステム、スピードメータシステム、ヘッドアップディスプレイシステム、およびステアリングシステムからなる群から選択される、請求項１９９に記載のシステム。
【請求項２０１】
照明システムが、車両上のポートに接続されて、選択される車両のシステムの少なくとも１つからのデータを受け取る、請求項１９１に記載のシステム。
【請求項２０２】
照明システムが、システムの状態の診断を示す、照明信号を提供する、請求項２０１に記載のシステム。
【請求項２０３】
照明システムが、インスツルメントパネルに配置されている、請求項１９１に記載のシステム。
【請求項２０４】
照明システムが、タコメータを含む、請求項２０３に記載のシステム。
【請求項２０５】
照明システムが、ヘッドアップディスプレイを含む、請求項１９１に記載のシステム。
【請求項２０６】
照明システムが、ディスプレイを含む、請求項１９１に記載のシステム。
【請求項２０７】
照明システムが、内部温度、外部温度、オイル温度、エンジン温度、エンジン速度、毎分回転数、オイル圧力、冷却液圧力、ブレーキ配管圧力、車両速度、空気品質、システム設定、緊急事象、衝突危険、交通密度、燃費、燃料残量、バッテリ状態、およびバッテリ充電残量からなる群から選択される情報を表示する、請求項２０６に記載のシステム。
【請求項２０８】
情報システムが通信設備を含み、かつ照明システムが、通信事象を知らせる照明を表示する、請求項１９１に記載のシステム。
【請求項２０９】
通信事象が、電子メイル、フォン通話、セルフォン通話、特定の個人からのメッセージ、および緊急メッセージからなる群から選択される、請求項２０８に記載のシステム。
【請求項２１０】
照明システムが、カップホルダを照明すると共に、照明システムが光ファイバを含む、請求項１９１に記載のシステム。
【請求項２１１】
車両用の照明システムの複数の効果をさらに含み、前記効果が、カラーチェースレインボウ、ストロボ、点滅光、カラーウオッシュ、カラーフェード、選択された色温度の白色光、車両のインテリアの異なる領域に対する異なる色、パターン、ロゴ、意匠、商標、サービスマーク、意匠マークからなる群から選択される、請求項１９１に記載のシステム。
【請求項２１２】
照明システムが、セキュリティシステムが装備されているかどうかを表示する、請求項１９１に記載のシステム。
【請求項２１３】
照明システムが、好ましい色で車両を照明する、請求項１９１に記載のシステム。
【請求項２１４】
照明システムが、ブレーキライトシステムを含む、請求項１９１に記載のシステム。
【請求項２１５】
情報システムが、ブレーキ上での圧力を検知するためのセンサを含む、請求項２１４に記載のシステム。
【請求項２１６】
ブレーキライトシステムからの照明の強度が、ブレーキ上でのドライバの足の圧力を表す、請求項２１５に記載のシステム。
【請求項２１７】
ブレーキライトシステムが、該ブレーキライトシステム内のライティング要素の照明を繰り返すことによって、点滅するようにプログラムされている、請求項２１６に記載のシステム。
【請求項２１８】
要素がＬＥＤである、請求項２１７に記載のシステム。
【請求項２１９】
照明システムが、ブレーキライト、ヘッドライト、ハザードライト、フォグライト、ビーコンライト、インジケータライト、方向指示器、テイルライトからなる群から選択される、請求項１９１に記載のシステム。
【請求項２２０】
照明システムが、情報システムからの情報に基づき異なる色で照明するようにプログラムされている、請求項１９１に記載のシステム。
【請求項２２１】
照明システムが、気象条件を示し、照明システムが照明システムに好適なカラーを選択する、請求項２２０に記載のシステム。
【請求項２２２】
気象条件が霧であり、色がオレンジである、請求項２２１に記載のシステム。
【請求項２２３】
照明システムが、車両のフードの下に配置されている、請求項１９１に記載のシステム。
【請求項２２４】
車両が、照明システムを介してバックライト照明するのに好適なパネルを含む、請求項１９１に記載のシステム。
【請求項２２５】
照明システムが、情報の項目を示す色で、パネルをライティングする、請求項２２４に記載のシステム。
【請求項２２６】
情報の項目が、着信通信の指標である、請求項２２５に記載のシステム。
【請求項２２７】
少なくとも１つのＬＥＤ、
制御信号を生成して前記少なくとも１つのＬＥＤに通信するためのコントローラであって、環境条件を表す信号を受信するためのプログラム入力と関連する前記コントローラ、および
センサ、トランスデューサ、タイマー、受信装置、信号発生器の少なくとも１つであって、プログラム入力に信号を通信する、前記センサ、トランスデューサ、タイマー、受信装置、信号発生器の少なくとも１つを含む、パッケージインジケータ。
【請求項２２８】
複数のＬＥＤ、
制御信号を生成して前記複数のＬＥＤに通信するためのコントローラであって、環境条件を表す信号を受信するためのプログラム入力と関連する前記コントローラ、および
センサ、トランスデューサ、タイマー、受信装置、信号発生器の少なくとも１つであって、プログラム入力に信号を通信する、前記センサ、トランスデューサ、タイマー、受信装置、信号発生器の少なくとも１つを含む、パッケージインジケータ。
【請求項２２９】
情報システムから入力を受け取る能力を有して、情報を伝達するのに適する照明を提供するための照明システム、および
該照明システムに入力を提供するための情報システムを含み、
該情報システムが、品目に関する情報を提供し、前記照明システムが、前記情報を表示する照明を提供するように制御される、品目の状態を表示するシステム。
【請求項２３０】
品目がパッケージであり、照明システムが前記パッケージの状態に関する情報を表示する、請求項２２９に記載のシステム。
【請求項２３１】
品目がコンテナであり、照明システムが前記コンテナに関する情報を表示する、請求項２２９に記載のシステム。
【請求項２３２】
品目が、身体部分、臓器、細胞組織、血液、血漿、液体、有機液体、衣料、食料、服飾、バッテリ駆動品目、コンピュータ、フォン、飲料、ビール、ソフトドリンク、ワイン、アルコール飲料、生鮮品目、果物、野菜、肉、乾物、シリアル、穀物、たばこ、動物、植物からなる群から選択される品目用のコンテナである、請求項２３１に記載の方法。
【請求項２３３】
状態が、材令、経過時間、温度暴露、放射線暴露、細菌暴露、バクテリア暴露、ウイルス暴露、高温暴露、低温暴露、湿分暴露、圧力暴露、加速度暴露、力暴露、振動暴露、露光、衝撃暴露、通電、音響暴露、湿度暴露、および磁気暴露からなる群から選択される、請求項２２９に記載のシステム。
【請求項２３４】
照明システムが、パルス幅変調によってライティング要素を制御する、請求項２３３に記載のシステム。
【請求項２３５】
照明システムが、生鮮品目用のパッケージがある環境状態に暴露されたことを表示する、請求項２２９に記載のシステム。
【請求項２３６】
環境状態が熱である、請求項２３５に記載のシステム。
【請求項２３７】
環境状態が、選択される時間を超過する時間の経過である、請求項２３５に記載のシステム。
【請求項２３８】
照明システムが、時間の経過と共に選択された色に徐々に変化する、請求項２２９に記載のシステム。
【請求項２３９】
照明システムが、時間の経過と共に赤色に変化する、請求項２３８に記載のシステム。
【請求項２４０】
照明システムが照明を変化させて、所定の許容範囲を超える温度への暴露を表示する、請求項２２９に記載のシステム。
【請求項２４１】
情報システムが、複数の環境状態を追跡し、照明システムが、異なる環境状態を反映して品目を照明する、請求項２２９に記載のシステム。
【請求項２４２】
情報システムに情報を供給する信号を受信するためのセンサをさらに含む、請求項２２９に記載のシステム。
【請求項２４３】
情報システムからの品目についての情報を伝送するための、送信装置をさらに含む、請求項２２９に記載のシステム。
【請求項２４４】
情報システムが、出荷事象についての情報を取得し、かつ照明システムが出荷事象についての情報を表示する、請求項２２９に記載のシステム。
【請求項２４５】
照明システムが、施設内の在庫管理に有用な情報を反映するための照明を提供する、請求項２２９に記載のシステム。
【請求項２４６】
情報システムが、小売り目的で品目を展示する以前の照明を制御するための第１の情報と、品目が小売り目的で展示されたときに照明を制御するための第２の情報とを記憶する、請求項２２９に記載のシステム。
【請求項２４７】
第１の情報が、品目の出荷情報を表示する照明を制御し、第２の情報が、品目に対する美的特徴を提供するための照明を制御する、請求項２４６に記載のシステム。
【請求項２４８】
少なくとも１つのＬＥＤを提供するステップ、
制御信号を生成して、前記少なくとも１つのＬＥＤに通信するためのコントローラを提供するステップであって、該コントローラが環境状態を示す信号を受信するためのプログラム入力と関連する前記ステップ、および
センサ、トランスデューサ、タイマー、受信装置、信号生成器の少なくとも１つを提供するステップであって、前記センサ、トランスデューサ、タイマー、受信装置、信号生成器の少なくとも１つが、プログラム入力に信号を通信する、前記ステップを含む、
パッケージ用インジケータを提供する方法。
【請求項２４９】
複数のＬＥＤを提供するステップ、
制御信号を生成して、前記複数のＬＥＤに通信するためのコントローラを提供するステップであって、該コントローラが環境状態を示す信号を受信するためのプログラム入力と関連する前記ステップ、および
センサ、トランスデューサ、タイマー、受信装置、信号生成器の少なくとも１つを提供するステップであって、前記センサ、トランスデューサ、タイマー、受信装置、信号生成器の少なくとも１つが、プログラム入力に信号を通信する、前記ステップを含む、
パッケージ用インジケータを提供する方法。
【請求項２５０】
品目の状態を表示するためのライト方式インジケータシステムを提供する方法であって、
情報システムからの入力を受け取る能力を有して、情報を伝達するのに適した照明を提供するための、照明システムを提供するステップ、および
前記照明システムに入力を提供するための情報システムを提供するステップを含み、
前記情報システムが、品目についての情報を提供し、前記照明システムが、前記情報を表示する照明を提供するように制御される、前記方法。
【請求項２５１】
品目がパッケージであり、照明システムが前記パッケージの状態についての情報を表示する、請求項２５０に記載の方法。
【請求項２５２】
品目がコンテナであり、照明システムが前記コンテナについての情報を表示する、請求項２５０に記載の方法。
【請求項２５３】
品目が、身体部分、臓器、細胞組織、血液、血漿、液体、有機液体、衣料、食料、服飾、バッテリ駆動物、コンピュータ、フォン、飲料、ビール、ソフトドリンク、ワイン、アルコール飲料、生鮮品、果物、野菜、肉、乾物、シリアル、穀物、たばこ、動物、植物からなる群から選択される品目用のコンテナである、請求項２５２に記載の方法。
【請求項２５４】
状態が、材令、経過時間、温度暴露、放射線暴露、細菌暴露、バクテリア暴露、ウイルス暴露、高温暴露、低温暴露、湿分暴露、圧力暴露、加速度暴露、力暴露、振動暴露、露光、衝撃暴露、通電、音響暴露、湿度暴露、および磁気暴露からなる群から選択される、請求項２５０に記載の方法。
【請求項２５５】
照明システムが、パルス幅変調によってライティング要素を制御する、請求項２５４に記載の方法。
【請求項２５６】
照明システムが、生鮮品目用のパッケージがある環境状態に暴露されたことを表示する、請求項２５０に記載の方法。
【請求項２５７】
環境状態が熱である、請求項２５６に記載の方法。
【請求項２５８】
環境状態が、選択された時間を超過する時間の経過である、請求項２５６に記載の方法。
【請求項２５９】
照明システムが、時間の経過と共に選択される色に徐々に変化する、請求項２５０に記載の方法。
【請求項２６０】
照明システムが、時間の経過と共に赤色に変化する、請求項２５９に記載の方法。
【請求項２６１】
照明システムが照明を変化させて、所定の許容範囲を超える温度への暴露を表示する、請求項２５０に記載の方法。
【請求項２６２】
情報システムが、複数の環境状態を追跡し、照明システムが、異なる環境状態を反映して品目を照明する、請求項２５０に記載の方法。
【請求項２６３】
情報システムに情報を供給する信号を受信するためのセンサをさらに含む、請求項２５０に記載の方法。
【請求項２６４】
情報システムからの品目についての情報を伝送するための、送信装置を提供することをさらに含む、請求項２５０に記載の方法。
【請求項２６５】
情報システムが、出荷事象についての情報を取得し、かつ照明システムが出荷事象についての情報を表示する、請求項２５０に記載のシステム。
【請求項２６６】
照明システムが、施設内の在庫管理に有用な情報を反映するための照明を提供する、請求項２５０に記載の方法。
【請求項２６７】
情報システムが、小売り目的で品目を展示する以前に照明を制御するための第１の情報と、品目が小売り目的で展示されたときに照明を制御するための第２の情報とを記憶する、請求項２５０に記載の方法。
【請求項２６８】
第１の情報が、品目の出荷情報を表示する照明を制御し、第２の情報が、品目に対する美的特徴を提供するための照明を制御する、請求項２６７に記載の方法。
【請求項２６９】
巻き付けられて解放螺旋を形成する平面、
前記螺旋を照明するための照明システムであって、入力に応答して照明を制御するための制御システムを含む、前記照明システム、および
前記照明システムに入力を提供するための情報システムを含む、照明システム。
【請求項２７０】
照明システムが、情報の状態を反映する色で螺旋を照明する、請求項２６９に記載のシステム。
【請求項２７１】
情報の状態が、株式情報、会計情報、会計収支情報、取引情報、取引完了情報、貿易情報、貿易完了情報、ゲーミング情報、賭け金情報、ギャンブル情報、自己資本情報、降雨情報、タスク完了情報、金融情報、気象情報、スポーツ情報、ビジネス情報、個人情報、温度情報、気象予測情報、交通情報、ニュース情報、フライト情報、旅行情報、旅行案内情報、湿度情報、コンピュータ情報、性能情報、水位情報、メンテナンス情報、セキュリティ情報、安全情報、警報情報、環境状態情報、個人情報、通信情報、メッセージ情報、健康情報、ゲーム情報、およびエンターテインメント情報からなる群から選択される、請求項２６９に記載のシステム。
【請求項２７２】
平面を螺旋に巻き付けるステップ、
前記螺旋を照明するための照明システムを提供するステップであって、該照明システムが、入力に応答して照明を制御するための制御システムを含む前記ステップ、および
情報システムから照明システムのための入力を取得するステップを含む、照明方法。
【請求項２７３】
照明システムが、情報の状態を反映する色で螺旋を照明する、請求項２７２に記載の方法。
【請求項２７４】
情報の状態が、株式情報、会計情報、会計収支情報、取引情報、取引完了情報、貿易情報、貿易完了情報、ゲーミング情報、賭け金情報、ギャンブル情報、自己資本情報、降雨情報、タスク完了情報、金融情報、気象情報、スポーツ情報、ビジネス情報、個人情報、温度情報、気象予測情報、交通情報、ニュース情報、フライト情報、旅行情報、旅行案内情報、湿度情報、コンピュータ情報、性能情報、水位情報、メンテナンス情報、セキュリティ情報、安全情報、警報情報、環境状態情報、個人情報、通信情報、メッセージ情報、健康情報、ゲーム情報、およびエンターテインメント情報からなる群から選択される、請求項２７２に記載の方法。
【請求項２７５】
螺旋が透光性の材料でできている、請求項２７２に記載の方法。
【請求項２７６】
照明システムをコンピュータ上に配置するステップ、
前記照明システムに入力を提供するための情報システムを提供するステップ、および
前記情報システムからの情報に応答して前記照明システムを制御するステップを含む、ラップトップコンピュータを照明する方法。
【請求項２７７】
照明システムからの照明が、株式情報、会計情報、会計収支情報、取引情報、取引完了情報、貿易情報、貿易完了情報、ゲーミング情報、賭け金情報、ギャンブル情報、自己資本情報、降雨情報、タスク完了情報、金融情報、気象情報、スポーツ情報、ビジネス情報、個人情報、温度情報、気象予測情報、交通情報、ニュース情報、フライト情報、旅行情報、旅行案内情報、湿度情報、コンピュータ情報、性能情報、水位情報、メンテナンス情報、セキュリティ情報、安全情報、警報情報、環境状態情報、個人情報、通信情報、メッセージ情報、健康情報、ゲーム情報、およびエンターテインメント情報からなる群から選択される情報に応答して制御される、請求項２７６に記載の方法。
【請求項２７８】
コンピュータ上に配置される照明システム、
該照明システムに入力を提供する情報システム、および
該情報システムからの情報に応答して前記照明システムを制御するコントローラを含む、ラップトップコンピュータと関連する照明システム。
【請求項２７９】
照明システムからの照明が、株式情報、会計情報、会計収支情報、取引情報、取引完了情報、貿易情報、貿易完了情報、ゲーミング情報、賭け金情報、ギャンブル情報、自己資本情報、降雨情報、タスク完了情報、金融情報、気象情報、スポーツ情報、ビジネス情報、個人情報、温度情報、気象予測情報、交通情報、ニュース情報、フライト情報、旅行情報、旅行案内情報、湿度情報、コンピュータ情報、性能情報、水位情報、メンテナンス情報、セキュリティ情報、安全情報、警報情報、環境状態情報、個人情報、通信情報、メッセージ情報、健康情報、ゲーム情報、およびエンターテインメント情報からなる群から選択される情報に応答して制御される、請求項２７８に記載のシステム。
【請求項２８０】
コンピュータルーム内のコンピュータの運用に関連する情報を処理するための情報システムを提供するステップ、
該情報システムからの入力を使用して制御の可能な照明システムを提供するステップ、および
該照明システムを制御し、それによってコンピュータの情報状態を反映する照明を提供するステップを含む、コンピュータルーム用の照明システムを提供する方法。
【請求項２８１】
情報状態が、ネットワーク状態、メモリ状態、速度、クロック状態、負荷状態、過負荷状態、応答時間状態、記憶状態、データ状態、環境状態、温度、湿度状態、湿分状態、緊急状態、火災状態、煙状態、振動状態、光状態、時間状態からなる群から選択される、請求項２８０に記載の方法。
【請求項２８２】
情報システムが、機械の性能を監視し、照明システムが、前記機械の性能を反映して環境を照明する、請求項２８０に記載の方法。
【請求項２８３】
コンピュータルーム内のコンピュータの運用に関連する情報を取り扱うための情報システム、
該情報システムからの入力を使用して制御の可能な照明システム、および
コンピュータの情報状態を反映する照明を提供するための前記照明システムのためのコントローラを含む、コンピュータルーム用の情報システム。
【請求項２８４】
情報状態が、ネットワーク状態、メモリ状態、速度、クロック状態、負荷状態、過負荷状態、応答時間状態、記憶状態、データ状態、環境状態、温度、湿度状態、湿分状態、緊急状態、火災状態、煙状態、振動状態、光状態、時間状態からなる群から選択される、請求項２８３に記載のシステム。
【請求項２８５】
情報システムが、機械の性能を監視し、照明システムが、前記機械の性能を反映して環境を照明する、請求項２８３に記載の方法。
【請求項２８６】
少なくとも１つの側面を有する個体、
該個体の少なくとも一部分を照明するための照明システム、
情報を取り扱うための情報システム、および
該情報システムからの情報に応答して前記照明システムを制御するための制御システムを含む、照明を介して情報を表示するための用品。
【請求項２８７】
個体が、立方体、球、多角形、十二面体、四角形、八角形、直方体、円錐、および角錐からなる群から選択される、請求項２８６に記載の用品。
【請求項２８８】
照明システムが、虹、意匠、ロゴ、水性塗料、虹、ストロボ、色彩、ストライプ、複数の色、パターン、商標、サービスマーク、および意匠マークから選択される照明効果で、固体の一部を照明する、請求項２８６に記載の用品。
【請求項２８９】
固体の側面が、取り外し可能である、請求項２８６に記載の用品。
【請求項２９０】
固体の少なくとも１側面が、取り外し可能なパネルを受容するように構成された、請求項２８６に記載の用品。
【請求項２９１】
固体の少なくとも１側面の照明が、情報システムからの情報を反映して変更される、請求項２８６に記載の用品。
【請求項２９２】
固体の方位が、照明システムの機能を変更する、請求項２９１に記載の用品。
【請求項２９３】
方位の変化が、ボール、手動スイッチ、重力スイッチ、およびスイッチの少なくとも１つによって機能の変化を起こさせる、請求項２９２に記載の用品。
【請求項２９４】
固体が、照明システムの動作モードを選択するためのインタフェースを有する、請求項２８６に記載の用品。
【請求項２９５】
固体が、壁に装着するのに適している、請求項２８６に記載の用品。
【請求項２９６】
固体が、机上に配置するのに適している、請求項２８６に記載の用品。
【請求項２９７】
照明システムが、株式情報、会計情報、会計収支情報、取引情報、取引完了情報、貿易情報、貿易完了情報、ゲーミング情報、賭け金情報、ギャンブル情報、自己資本情報、降雨情報、タスク完了情報、金融情報、気象情報、スポーツ情報、ビジネス情報、個人情報、温度情報、気象予測情報、交通情報、ニュース情報、フライト情報、旅行情報、旅行案内情報、湿度情報、コンピュータ情報、性能情報、水位情報、メンテナンス情報、セキュリティ情報、安全情報、警報情報、環境状態情報、個人情報、通信情報、メッセージ情報、健康情報、ゲーム情報、およびエンターテインメント情報からなる群から選択される情報に応答して個体を照明する、請求項２８６に記載の用品。
【請求項２９８】
個体が立方体であり、照明システムが、ネットワークから情報システムによって取得されるユーザの株式ポートフォリオの値を表す色で、立方体のパネルを照明する、請求項２８６に記載の用品。
【請求項２９９】
少なくとも１つの側面を有する個体を提供するステップ、
該個体の少なくとも一部分を照明するための照明システムを提供するステップ、
情報を処理するための情報システムを提供するステップ、および
前記情報システムからの情報に応答して前記照明システムを制御するための制御システムを提供するステップ含む、照明を介して情報を表示するための用品を提供する方法。
【請求項３００】
個体が、立方体、球、多角形、十二面体、四角形、八角形、直方体、円錐、および角錐からなる群から選択される、請求項２９９に記載の方法。
【請求項３０１】
照明システムが、虹、意匠、ロゴ、水性塗料、虹、ストロボ、カラー、ストライプ、複数の色彩、パターン、商標、サービスマーク、および意匠マークから選択される照明効果で、固体の一部分を照明する、請求項２９９に記載の方法。
【請求項３０２】
固体の側面が、取り外し可能である、請求項２９９に記載の方法。
【請求項３０３】
固体の少なくとも１側面が、取り外し可能なパネルを受容するように構成される、請求項２９９に記載の方法。
【請求項３０４】
固体の少なくとも１側面の照明が、情報システムからの情報を反映して変更される、請求項２９９に記載の方法。
【請求項３０５】
固体の方位が、照明システムの機能を変更する、請求項２９９に記載の項目。
【請求項３０６】
方位の変化が、ボール、手動スイッチ、重力スイッチ、およびスイッチの少なくとも１つによって機能の変化を起こさせる、請求項３０５に記載の方法。
【請求項３０７】
固体が、照明システムの動作モードを選択するためのインタフェースを有する、請求項２９９に記載の方法。
【請求項３０８】
固体が、壁に装着するのに適している、請求項２９９に記載の方法。
【請求項３０９】
固体が、机上に配置するのに適している、請求項２９９に記載の項目。
【請求項３１０】
照明システムが、株式情報、会計情報、会計収支情報、取引情報、取引完了情報、貿易情報、貿易完了情報、ゲーミング情報、賭け金情報、ギャンブル情報、自己資本情報、降雨情報、タスク完了情報、金融情報、気象情報、スポーツ情報、ビジネス情報、個人情報、温度情報、気象予測情報、交通情報、ニュース情報、フライト情報、旅行情報、旅行案内情報、湿度情報、コンピュータ情報、性能情報、水位情報、メンテナンス情報、セキュリティ情報、安全情報、警報情報、環境状態情報、個人情報、通信情報、メッセージ情報、健康情報、ゲーム情報、およびエンターテインメント情報からなる群から選択される情報に応答して個体を照明する、請求項２９９に記載の方法。
【請求項３１１】
個体が立方体であり、照明システムが、ネットワークから情報システムによって取得されるユーザの株式ポートフォリオの値を表す色で、立方体のパネルを照明する、請求項２９９に記載の方法。
【発明の詳細な説明】
【０００１】
関連出願の相互参照
本出願は、以下の米国特許出願に基づき、その優先権を主張するものである。
米国特許仮出願整理番号６０／２５２，００４、「Intelligent Indicators（知的インジケータ）」、２０００年１１月２０日付出願、
米国特許仮出願整理番号６０／２６２，０２２、「LCD Color Changing Screen（ＬＣＤ色変化スクリーン）」、２００１年１月１６日付出願、
米国特許仮出願整理番号６０／２６８，２５９、「LED Based Lighting Systems and Methods for Vehicles（車両用ＬＥＤライティングシステムおよび方法）」、２００１年２月１３日付出願、
米国特許仮出願整理番号６０／２６２，１５３、「Information Systems（情報システム）」、２００１年１月１７日付出願、および
米国特許仮出願整理番号６０／２９６，２１９、「Systems and Methods for Displaying Information（情報表示用システムおよび方法）」、２００１年６月６日付出願。
【０００２】
発明の分野
本発明は、発光ダイオードデバイスに関する。詳細には、本発明は情報を提供するように構成されたライティングデバイスに関する。
【０００３】
関連技術の説明
世界中において実質的に瞬時に信号の送受信を行うことが、通常のことになった。コンピュータネットワークおよびその他のネットワークから受け取られる信号を受信し、場合によっては再送信するには、多くのデバイスが利用可能である。これらの信号を閲覧するためのユーザインタフェースは、限定はされないが、フォン（phone）、コンピュータ、ラップトップコンピュータ、ハンドヘルドデバイス、スタンドアローンデバイスを含む多くの形態をとることができる。米国特許第６，０１６，０３８号に記載されているように、インテリジェントライトソース（intelligent light sources）の開発によって、近年、ライティング（lighting；光らす）およびライティング制御は変容を遂げた。
【０００４】
ワールドワイブウエブへのアクセスを通して情報は豊富にあり、このような情報を受け取り、様々な方法で、様々なデバイス上に表示することが可能である。コンピュータは、これらの情報の多くを受け取り、閲覧し、かつ対話するためのプライマリポータルの１つである。ハンドヘルドデバイスも、情報を受け取り、閲覧し、かつ対話する上で益々普及しつつある。これらのデバイスに表示される情報の種類も、実質的に無限である。限定はされないが、金融、気象、販売データなどの情報を、ダウンロードし、表示することができる。ダウンロードデバイスによってユーザは一般に、データと対話し、トランザクションを実行することができる。ゲームソフトウエア（gaming software）も、人気のあるオンライン活動となりつつあり、これを使うと遠隔地からゲームソフトウエアと対話することができる。ゲームはまた、急速にオンライン体験になりつつある。これらのゲームの拡張として、２人またはそれ以上のユーザが同時に、しかもすべてのユーザが異なる場所にいるときでも、同じゲームに参加することもできる。
【０００５】
マサチューセッツ工科大学には、メディア・アーツ・アンド・サイエンスにヒロシ・イシイが統括するタンジブルメディア（Tangible Media）と呼ばれるプログラムがあり、このプログラムでは、メディアブロック（mediaBlocks）と呼ばれるインタフェースが開発されており、これは文献（mediaBlock：Tangible Interfaces for Online Media, Brygg Ullmer and Hiroshi Ishii, MIT Media Lab, Published I the Conference Abstracts of CHI99, May 15-20,1999.）に記載されており、これを本明細書に参照として組み入れる。タンジブルメディアグループは、物理的な物体を用いてヒューマンインタフェースを開発することを目的としている。この物理的物体は、ディジタルメディアとインタフェースすることによって、インタフェースの使用を容易にし、より簡便な人と機械のインタフェースを創出するために使用される。メディアブロックは、オンラインディジタルメディアを物理的に捕らえ、搬送し、検索するためのタンジブルインタフェースである。例えば、メディアブロックを、ホワイトボードに隣接するスロット内に配置することによって、ホワイトボード上に含まれる情報を、ディジタル方式でメディアブロックに転送することができる。またメディアブロックを、プリンタ近くのスロットにセットすることで、ホワイトボードからの情報をプリンタでプリントすることができる。このようにして今日使用されている複雑なコンピュータインタフェースが不要となる。このプロジェクトは、現在の業務および余興環境において一般化したコンピュータインタフェースの複雑さを低減することを目的とするものである。
【０００６】
タンジブルメディアグループによる別の文献、アンビエントルーム（ambeientROOM: Integrating Ambient Media with Architectural Space, Hiroshi Ishii et. al., Tangible Media Group, MIT Media Laboratory, Published in the Conference Summary of CHI98, April 18-23, 1998）では、オフィスワーカの意識（awareness）を向上させるために、オフィス内のアンビエントコントロールの可能性が議論されている。この文献では、著者は、複数の情報流を処理する人の能力について論じている。人は、その従事する活動の背景で生じている情報を受容し、解釈する上で、測り知れない能力を持っている。この能力を利用するために、著者は、受領している情報に対応するオフィス内の環境状態（ambient conditions）を創出した。例えば、オフィスに、熱帯林の音などの微妙な背景音を提供するためのサウンドシステムを備える。森林音の流れの中の音量や活動の密度が、電子メイルの量や、ユーザの株式ポートフォリオの値に対応することになる。オフィスの壁上には、隣の部屋の活動が増大したときに変化する、ライティングパターンが設けられた。
【０００７】
このように、ユーザがインタフェースと対話する必要なく情報に注意を向けるように情報を表示する、周辺デバイスまたは追加デバイスを標準デバイスに設けることは有用であろう。また、装飾にもなり、また知識も与えてくれる情報を表示するインジケータを設けることも有用と考えられる。
情報を必要としている領域の１つに、車両の関係がある。今日の車両が生成する情報は、過去における通常の車よりも飛躍的に増加した。今日の自動車またはその他の個人用車両のインスツルメントパネルは、情報に対する需要が増大したために、航空機のコクピットに似ることもある。これは、一部にはより多くの情報に対する要求によるものであり、一部にはデザインが魅力的である理由からである。これらの車両の制御システムも、益々複雑になっている。複雑さの増大を受容するために、自動車メーカは、ドライバおよび乗員の周りのエルゴノミックシステムの改善を続けている。安全もまた最重要であり、改良型のエルゴノミックシステムはまた、ドライバの疲労を低減し、周囲に対する全般的な意識（awareness）を向上させるように設計される。
【０００８】
米国特許第５，８０３，５７９号は、自動車用の白色光ライティングデバイスを教示している。このライティングデバイスは、２つのＬＥＤを組み合わせて白色光を生成して、白熱灯システムと比較して、軽量、高エネルギー効率、低熱生成、および高信頼性というＬＥＤの利点を生かすものである。このシステムは、白色光を生成することによって、車両のインテリア用またはリアビューミラーアセンブリ用の白熱灯ライティングシステムを代替するように設計されている。車両の魅力と意匠を向上させる、車両用のライティングシステムを提供することは有用であると思われる。また、車両の性能に関する情報や、その他の情報を伝達することのできるライティングシステムを提供することも有用であろう。
【０００９】
今日の通信接続された世界においてはデータが溢れており、これらのデータのすべてを有用な情報に変換することは依然として困難な課題である。インターネットは、金融、気象、スポーツおよびその他の種類の情報を含む広範囲の情報への入口となる。またゲーム、シミュレータ、金融分析プログラムおよびその他のソフトウエア主導型アプリケーションなどの情報を生成するソフトウエアプログラムもある。
過去数年の間に、技術進歩によって、毎年より多くの情報と、その情報を検索するためのさらに多くのデバイスがもたらされた。我々は、デスクトップコンピュータ、ゲームプラットフォーム、インターネット電気製品およびその他の固定型デバイスなどの固定型デバイスを含む、多くの情報源からの情報を受け取り、検索する能力を備えた通信接続世界にある。また我々は、移動電話、パーソナルディジタルアシスタンツ、ページャ、ゲームデバイス、およびその他のモバイルデバイスなどのモバイルデバイスを介して情報を検索することができる。そのようなデバイスの多くは、有用な情報を受け取り、検索するためにユーザの対話を必要とする。これらのシステムのユーザにとって、提供される関連情報のすべてに追随するのは難題となることもある。情報の受け取りを簡略化または強化する情報システムを提供することは有用であろう。
【００１０】
ライティング情報システムを必要とする可能性のあるもう１つの分野は、液晶ディスプレイと関連する分野である。液晶ディスプレイ（ＬＣＤ）は、一般にディジタル時計、計算機、セルラー電話、ポータブルデバイスおよびポータブルコンピュータに使用されて、数字、文字または画像を表示するのに使用される電気光学デバイスである。
液晶ディスプレイは、一対の透明電極の間に配置された液晶材料を含む。液晶は、それを通過する光の位相を変化させ、この位相変化は電極間に印加する電圧によって制御することができる。液晶ディスプレイは、いくつかの液晶パターンをディスプレイ内に一体化するか、または単一液晶プレートと電極パターンを用いることによって形成することができる。
【００１１】
ディジタル時計および計算機で使用されている、液晶ディスプレイの一種は、片側を覆う共通電極面と、反対側を覆う、電極間に液晶面を備える電極のパターンとを含む。これらの電極群は、個々に制御することによって適当な表示を生成することができる。しかしながらコンピュータディスプレイは、この方式、特にその配線を可能にするためにはるかに多くのピクセル（通常は５万から数百万）を必要とする。したがって電極群は、片側のいくつかの行電極と、別の側の列電極とによって置き換えられる。１つの行といくつかの列に電圧を印加することによって、交差点のピクセルが設定される。これによって、２つの電極の交差点において液晶を起動するのに必要な電位が生成される。この方法によって、起動することにより文字または画像を生成することのできる、ピクセルが生成される。
一般に２種類のＬＣＤディスプレイがあり、それは受動マトリックスおよび能動マトリックスである。受動マトリックスディスプレイでは、ピクセルフェーディングは、ディスプレイの残光を介して制御される。トランジスタなどの能動要素を、各ピクセルの上に置くことによってフェーディングを遅らせることができる。これによって、そのピクセルの設定が「記憶」されて、一般に能動マトリックスディスプレイと呼ばれる。
【００１２】
カラー画像ＬＣＤスクリーンも、モノクロ版のものよりも高価であるが、利用可能であり、通常、カラーグラフィックを表示するのが望ましいコンピュータスクリーンまたはその他のデバイスに使用される。カラースクリーンは、システムの複雑さが増大するという理由で、より高価である。カラーＬＣＤスクリーンは、赤色光、緑色光および青色光のピクセルを生成することによって動作する。これらのカラーピクセルは互いに、ユーザに対して、十分に近接することによって、通電されたときにカラーピクセルを形成する。これらのシステムは、液晶を介して特定のカラーを生成するか、または色を調整するためのフィルタをピクセル上に備えることができる。カラーＬＣＤスクリーンを生成する具体的な方法の１つに、３つの時間セグメントにおいて赤、緑および青を発光するバックライトを備える方法がある。このスクリーンに備えられる液晶は、約４％の透過率を有し、赤、緑および青の通過させる。したがって、４％透過率がスクリーン輝度に対して許容できるだけの、十分な光を生成する、非常に明るい光源が必要となる。一般に、光源のタイミングは、３つの色が、所定の時間セグメントの間、オンとなるようにする。例えば、赤は最初の３分の１時間セグメントの間、オンになり、青は２番目の３分の１時間セグメントの間、オンとなり、緑が３番目の３分の１時間セグメントの間、オンとなる。次いで特定のカラーが作動されるのと同時に、ピクセルが通電される。液晶は基本的に、背景で生成される光のためのウインドとなる。液晶と光を同時に作動させることによって、特定の色が放出される。例えば、ピクセルを赤にしようとする場合に、液晶は第１の時間セグメントの間、通電される。黄色のような混合色が要求される場合には、ピクセルは第１（赤）および第３（緑）の小周期の間、通電される。４つの小周期を含む改良型の方法が、ヨシハラ達の米国特許第６，１１５，０１６号に教示されている。これらのカラー画像ＬＣＤスクリーンは、バックライト法を用いて、液晶を通過して光を放出することによって、スクリーンにカラー画像を容易に投影できるようにする。
【００１３】
多くのモノクロ画像ＬＣＤスクリーンにおいて、液晶と背景の間のコントラストを改善するためにバックライトが設けられている。これは、前面に入射する光を結晶が反射するようにディスプレイが設計されるので、特にモノクロ画像ＬＣＤにおいて重要である。液晶は光を直接反射したり、また、液晶が、結晶の背後の表面によって反射される光を阻止することもある。その結果として、これらのシステムは、ＬＣＤ表面を照射する周辺光が限られているときには、ほとんど黒に見える。このディスプレイは、主として光を反射しており、ディスプレイ上に当たる光がない場合には、反射する光もない。この現象の例は、暗闇でセルラー電話または計算機のＬＣＤスクリーンを見ようとするときであり、スクリーンを読むことはできない。低光量状態においてスクリーンを読むことについての問題を解消するために、これらのディスプレイには、一般にバックライトシステムが設けられる。このシステムは、液晶の背後から光を供給し、通電された液晶が起動されるとき、光を阻止する。
【００１４】
バックライトシステムは一般に、バックライトまたはエッジライトを当てられる平坦面を備え、これによってＬＣＤパネルの背後に光の面を提供する。これらのパネル用のライティングは、一般に蛍光、白熱灯または発光ダイオード（ＬＥＤ）によるライティングによって達成される。次いで光の面が、起動された液晶のパターンによって阻止されて、結晶がある場所で暗領域を提供し、非起動結晶の領域では、バックライトされた面からの光が放出される。バックライトシステムは、いくつかの色の１つにすることができ、起動されると一定のライティング状態を提供する。色の選択は、一般に画像に対する高いコントラストが得られるように、製造業者によって行われる。例えば、モノクロ画像ＬＣＤスクリーンの多くは、緑のバックライトパネルを使用して、通電された液晶の背後を高輝度にする。カラー画像スクリーンとは異なり、これらのスクリーンは、カラーピクセルを生成しない。液晶は、バックライトシステムからの光のわずかな部分を透過するが、バックライトは、いかなる透過よりも圧倒的に大きいために、ピクセルは通常、黒または灰色に見える。
【００１５】
ライティングによって情報を伝達することのできる別の分野は、パッケージ用のインジケータの分野である。実質的にどのようなものでも運搬するパッケージは、運送および海運業界が成長するにつれて、最近では世界中で容易に輸送が可能である。多くのパッケージは、一晩で輸送され、また多くのパッケージが、目的地に到着するまでに数週間もかかる従来手段によって発送される。これらの輸送シナリオのすべてにおいて、製品の品質は、輸送会社または荷主が知ることなく損なわれる可能性がある。輸送問題の最初の指摘が、顧客によるものであることもあり、このような場合には、顧客関係が即刻終焉する可能性がある。
【００１６】
パッケージは、荷主および顧客によって、外部損傷が監視される。顧客が損傷した荷箱を受け取ると、その顧客は自動的に、その内容物も損傷されているものと認識する。それでも顧客は、パッケージを開ける可能性もあるが、損傷を受けている場合にはその品物を拒否する権利を保留するであろう。限定はされないが、時間、湿度、温度、方位、電気状態、物理的振動、または物理的衝撃などの輸送状態に品物が敏感であるときには、不適切な取り扱いによって品物が損傷を受ける可能性がある。このような状況において、荷主が、要求条件が満たされていることを知り得ず、その結果として顧客が不良または使用不能の製品を受け取る可能性がある。生鮮食料品の状態を監視する聴覚インジケータが利用可能である。これは、New Food Packaging Technology to Offer Audible Warnings, Asia Pulse, October 11, 2000.を参照されたい。また、衝撃が閾値を超えたり、パッケージが倒立させられたことを示すことに使用する、ガラス小瓶やスプリング付きボールもある。
パッケージの輸送状態を示すインテリジェント視覚インジケータがあれば有用であると思われる。また、その他の用途に対するインテリジェント視覚インジケータも有用であろう。
【００１７】
発明の概要
本発明では、従来システムの欠点の多くを克服する照明方法および照明システムが提供される。実施態様においては、マルチカラー照明ための方法およびシステムが提供される。一実施態様においては、本発明は、効率のよい、コンピュータ制御された、マルチカラー照明デバイスを提供するための装置である。
本発明の一実施態様においては、情報システムが提供される。この情報システムには、情報を示す照明状態を表示する、ＬＥＤ照明ユニットを含めることができる。別の実施態様においては、このＬＥＤ照明ユニットは、スタンドアローンデバイス、ネットワークデバイス、ネットワーク機器、ネットワーク周辺装置、ＬＥＤデバイス、またはプロセッサ付きのＬＥＤデバイスである。このプロセッサは、コントローラ、アドレス指定可能コントローラ、マイクロプロセッサ、アドレス指定可能マイクロプロセッサ、コンピュータ、プログラマブルプロセッサ、プログラマブルコントローラ、専用プロセッサ、専用コントローラ、ラップトップコンピュータまたはその他のプロセッサとすることができる。
【００１８】
一実施態様においては、照明デバイスが、情報信号を受け取り、この情報信号を、照明デバイスの色相、彩度または強度を変更するのに使用することができる。この情報信号には、金融情報、環境情報、コンピュータ状態情報、通知情報、電子メイル通知情報、状態情報またはその他の情報を含めることができる。情報信号は、電磁気伝送、無線周波数伝送、赤外線伝送、マイクロ波伝送、音響伝送、有線伝送、ケーブル伝送、ネットワーク伝送、または他の任意の通信伝送を介して、ＬＥＤ照明デバイスに通信することができる。ある実施態様においては、情報伝送における情報源は、ワールドワイドウエブ（ＷＷＷ）、データベース、ネットワーク、ソフトウエア、コンピュータ、コンピュータシステムまたはその他のシステムからである。また情報は、ハイパーリンク、またはその他の情報転送機構を介して取得することもできる。
【００１９】
情報信号は、ＬＥＤ照明デバイスで直接読取り可能なライティング制御信号の形態としてもよい。情報信号はまた、ライティング制御信号以外の形態でもよい。一実施態様においては、ライティング制御信号以外の形態であり、この情報信号をライティング制御信号に変換するためのデコーダが設けられる。一実施態様においては、このデコーダは照明デバイス内のプロセッサとするか、または照明デバイスと分離したプロセッサとすることもできる。またデコーダは、プロセッサによって実行されるソフトウエアであってもよい。情報信号は、ディジタル伝送としても、またはアナログ伝送でもよい。ディジタル伝送は、システムによって読取り可能であるが、アナログシステムは、アナログ・ディジタル変換器を必要とする。
【００２０】
情報システムは、ユーザインタフェースを備えることができる。このユーザインタフェースは、照明デバイスによって表示される情報を選択するのに使用することができる。一実施態様においては、このユーザインタフェースは、コンピュータ、パーソナルディジタルアシスタンツ（ＰＤＡ）、コンピュータ周辺装置、ポータブルインタフェース、スタンドアローンインタフェース、またはその他のインタフェースである。
一実施態様は情報を提供する方法であり、情報信号が受信されて、この情報信号がＬＥＤ照明デバイスに通信される。照明ユニットは、入力接続と関連づけることができる。プロセッサを備えて、情報信号をライティング制御信号に変換することができる。ライティング制御信号は、照明制御デバイスに通信される。情報信号を受け取った結果として、色相、彩度、または強度（色）を変更してもよい。色は、情報信号内に与えられた情報を表してもよい。情報信号内の情報は、金融情報、環境情報、コンピュータ状態情報、通知情報、電子メイル通知情報、状態情報またはその他の情報とすることができる。
【００２１】
一実施態様においては、プロセッサが設けられる。このプロセッサは、コントローラ、アドレス指定可能コントローラ、マイクロプロセッサ、アドレス指定可能マイクロプロセッサ、コンピュータ、プログラマブルプロセッサ、プログラマブルコントローラ、専用プロセッサ、専用コントローラ、コンピュータ、ラップトップコンピュータまたはその他のプロセッサとすることができる。
一実施態様においては、ＬＥＤ照明デバイスを設けることができる。このＬＥＤ照明デバイスは、少なくとも２つの異なるスペクトルを生成する、少なくとも２つのＬＥＤと、プロセッサと、少なくとも２つのＬＥＤに供給される電力を独立して制御する、少なくとも２つのコントローラであって、前記プロセッサと関連する信号入力をさらに含むと共に、前記信号入力に通信される信号に応答する、前記少なくとも２つのコントローラと、ＬＥＤによって照明されるように配設された光透過材料とを含む。
【００２２】
ＬＥＤ照明デバイスはまた、信号入力接続と関連させることもできる。情報信号は、信号入力接続に通信することができる。プロセッサは、情報信号を照明制御信号に変換することができ、照明デバイスは、情報信号に対応してカラーを変更することができる。第２のプロセッサを設けることもできる。第２のプロセッサは、情報信号をライティング制御信号に変換することができる。これらのライティング制御信号は、ＬＥＤ照明デバイス、またはライティングデバイスに関連する照明プロセッサに通信してもよい。
一実施態様においては、ユーザインタフェースが設けられる。ユーザインタフェースは、コンピュータ、ウエブブラウザ、ＰＤＡ、ポータブルデバイス、スタンドアローンデバイス、ウエブサイト、タッチスクリーン、ＬＣＤスクリーン、プラズマスクリーン、ラップトップコンピュータ、またはその他の任意のユーザインタフェースとすることができる。このユーザインタフェースは、ＬＥＤ照明デイバスに伝達する情報を選択するのに使用することができる。
【００２３】
一実施態様は、情報信号をライティング制御信号に変換する方法である。ユーザインタフェースが設けられて、ユーザが、ＬＥＤ照明デバイスによって表示される情報を選択する。また選択された情報をライティング制御信号に変換するためにプロセッサを設けてもよく、ライティング制御信号は、出力ポートに通信してもよい。情報は、ウエブサイト、ウエブページ、ハイパーリンク、コンピュータ設定、コンピュータシステム設定、電子メイル設定、コンピュータモニタソフトウエア、モニタリングソフトウエア、コンピュータソフトウエアまたはその他のシステムから選択することができる。
本発明の一実施態様は、コンピュータ周辺装置の形態をとることができる。ここで、コンピュータが情報信号またはライティング制御信号を、周辺装置に送り、その周辺装置が、情報信号に対応するカラーに変更することによって応答する。この周辺装置は、プロセッサを有し、このプロセッサは、コントローラ、アドレス指定可能コントローラ、マイクロプロセッサ、アドレス指定可能マイクロプロセッサ、コンピュータ、プログラマブルプロセッサ、プログラマブルコントローラ、専用プロセッサ、専用コントローラ、コンピュータ、ラップトップコンピュータまたはその他のプロセッサとすることができる
【００２４】
ＬＥＤ照明デバイスは、ＬＥＤ出力を制御するためのコントローラを備えてもよい。コントローラは、パルス幅変調器、パルス振幅変調器、パルス変位変調器、レジスタラダー、電流供給源、電圧供給源、電圧ラダー、電圧コントローラ、またはその他の電力コントローラとすることができる。
一実施態様は、プロセッサによって実行が可能な、情報の復号化方法である。ユーザインタフェースを設けて、情報を表す画像を表示することができる。情報は、ユーザインタフェースから選択することができる。情報は、ライティング制御信号に変換することができ、ライティング制御信号は、通信ポートに通信することができる。通信ポートは、ＵＳＢポート、シリアルポート、パラレルポート、ファイヤワイヤポート、高速通信ポート、またはその他の通信ポートとすることができる。
【００２５】
本発明においては、従来型の照明システムの欠点の多くを克服する照明方法とシステムを提供する。実施態様においては、マルチカラー照明用の方法とシステムが提供される。一実施態様においては、本発明は、高性能かつ迅速カラー選択が可能な、効率的で、コンピュータ制御された、マルチカラー照明を提供するための装置である。
本明細書においては、「ＬＥＤ」の用語は、電気信号を受け取り、その信号に応答して有色光を生成することのできる任意のシステムを意味する。したがって、「ＬＥＤ」の用語は、すべての種類の発光ダイオード、発光ポリマー、電流に応答して光を生成する半導体ダイ、有機ＬＥＤ、電気ルミネセンスストリップ、およびその他のシステムを含むものと理解すべきである。一実施態様においては、ＬＥＤは個別に制御される複数の半導体ダイを有する単一の発光ダイオードパッケージを意味する。また、「ＬＥＤ」の用語は、ＬＥＤのパッケージ種類を限定しないことも理解すべきである。「ＬＥＤ」の用語は、パッケージＬＥＤ、非パッケージＬＥＤ、表面実装ＬＥＤ、チップ・オン・ボードＬＥＤおよびその他のすべての構成のＬＥＤを含む。
【００２６】
ＬＥＤは一種の照明光源である。本明細書において使用する「照明光源」には、ＬＥＤシステム、ならびにフィラメントランプ、火炎などのパイロルミネセンス光源、ガスマントルなどのキャンドルルミネセンス光源、およびカーボンアーク放射光源を含む白熱光源、ならびにガス放電、蛍光光源、燐光光源、レーザ、電界ルミネセンスランプなどの電界ルミネセンス光源、発光ダイオード、電子飽和を使用する正極ルミネセンス光源などのフォトルミネセンス光源、ならびに電流蛍光（galvano-luminescent）光源、結晶ルミネセンス光源、キネルミネセンス光源（kine-luminescent sources）、熱ルミネセンス光源、トリボルミネセンス（triboluminescent）光源、ソノルミネセンス（sonoluminescent）光源、放射ルミネセンス光源を含む、様々なルミネセンス光源を含む、すべての照明光源が含まれることを理解すべきである。照明光源には、原色を生成することのできるルミネセンスポリマーも含まれる。
【００２７】
「照明する（illuminate）」という用語は、照明光源による、ある周波数の放射の生成を意味するものと理解すべきである。「色（カラー）」の用語は、あるスペクトル内の任意の放射周波数を意味すると理解すべきである。すなわち本明細書で用いる「色（カラー）」とは、可視光スペクトルだけでなく、赤外および紫外領域のスペクトル、ならびにその他の領域の電磁波スペクトルの周波数も含むものと理解すべきである。
本明細書での使用においては、「車両」の用語は、陸上車両、船舶、航空機、宇宙船、自動車、乗用車、バス、トラック、バン、ミニバン、モーターサイクル、自転車、モペット、３輪車、３輪モーターサイクル、原動機付きカート、電気自動車、電動カート、電動自転車、スクータ、動力付きスクータ、船、ボート、ホバークラフト、潜水艦、飛行機、ヘリコプター、宇宙ステーション、シャトル機、商用車両、リクレーショナルビークル（ＲＶ）、スポーツユーティリティビークル（ＳＵＶ）またはその他の任意の車両を意味するものと理解すべきである。
【００２８】
「色（カラー）」の用語は、あるスペクトル内の放射の任意の周波数を意味すると理解すべきでありる。すなわち本明細書において用いる「色（カラー）」は、可視光スペクトルだけでなく、スペクトルの赤外および紫外領域、ならびにその他の領域の電磁波スペクトルの周波数も含むものと理解すべきである。
一実施態様においては、キューブまたはその他の多角形体の形状をした情報アイテムが提供される。この情報アイテムは、ネットワークに接続されたコンピュータなどの関連する情報システムからの情報またはデータを反映するために照明することができる。キューブによって表示される情報の例としては、純資産（net worth）、気象データ、またはスポーツスコアであり、それぞれがアイテムの照明状態によって反映される。
【００２９】
一実施態様においては、複数のＬＥＤを用いて、ＬＣＤディスプレイパネルなどの、ディスプレイパネルにバックライトを与える。この照明は、ディスプレイの品質を向上させるか、あるいは関係する情報システムからの情報を伝達することができる。
一実施態様においては、車両用の照明および情報システムが提供され、車両の内部または外部を照明することによって車両に関する、あるいはその他の物体または実在に関する情報の状態を反映させる。例えば、タコメータ上で、エンジン回転数を反映して、特定の色を光らせることができる。
一実施態様においては、照明を用いて、出荷情報、パーケージ履歴、様々な力または状態の商品への暴露、その他を含むパッケージに関する情報を反映する、パッケージインジケータが提供される。
以下の図面は、本発明の説明のための実施態様を示し、同一要素には、同一の参照番号が付けられている。これらに示す実施態様は、本発明を説明するものであり、いかなる意味においても限定するものではないことを理解すべきである。
【００３０】
詳細な説明
以下の記述は、本発明のいくつかの例示的な実施態様に関する。当業者によれば、本発明に対する変更形態が多数思いつかれようが、そのような変更形態および改良形態は、本開示の範囲に含まれるものと考える。すなわち、本発明の範囲は、以下の開示によっていかなる意味においても限定されるものではない。
大量の情報が利用可能な中で、役に立つ方法で、情報を収集かつ表示するのは困難である場合がある。受け取った信号に応答してＬＥＤを使用して有色光を生成するインテリジェント・ライティング・システムを用いて、すべての種類の情報を表示かつ指示することができる。ライティングシステムは、信号を受け取り、それをライティング制御信号に変換するか、または信号をライティング制御信号として直接受け取るように設計ことができる。
【００３１】
ＬＥＤ式ライティングシステムは、複数のカラーＬＥＤを駆動して混合色光を生成することができる。複数の異なるカラーＬＥＤを含むライティングシステムによって、これらの色の組合せは、個々のＬＥＤの強度レベルまたは色ずれ（color shift）が制御できる程度に、生成することができる。好ましい実施態様においては、ＬＥＤをマイクロプロセッサによって制御することによって、３色のＬＥＤに対してパルス幅変調制御が行われる。マイクロプロセッサは、プログラム入力と関連し、入力信号はプログラム入力に通信される。入力信号が、プログラム入力に通信されると、マイクロプロセッサが、入力に関連する有色光を生成するために、ＬＥＤ制御信号を生成することができる。
【００３２】
図１は、はコンピュータネットワークを示し、コンピュータ１０２および信号を伝送するための送信装置１１２または１０４を含む。このコンピュータ１０２は、ラップトップコンピュータ、パーソナルコンピュータ、ワイヤレスデバイス、ハンドヘルドデバイス、ゲームコンソール、サーバ、メインフレーム、マイクロコンピュータ、ネットワークコンピュータ、電気器具、ハンドヘルドゲーム、パーソナルディジタルアシスタンツ、セルラー電話、またはその他の適当なコンピュータまたは情報を中継することのできる他の情報システムとすることができる。送信装置は、限定はされないが、電磁波、ＩＲ、ＲＦ、マイクロ波、音響、電線、ケーブル、またはネットワークなどの信号を通信するための任意の送信装置でよい。送信装置は、ライティングデバイス１０８にプログラム信号を通信するためのものである。このライティングデバイスは、信号を受信するための受信装置１１２または１１０を装備してもよく、この受信装置は、応用可能な送信装置１１２または１０４によって伝送される信号を受信することのできる任意の受信装置でよい。ライティングデバイスが、プログラム信号を受信すると、特定の色彩効果（color effect）または照明効果を生成することができる。この色彩または効果は、受領した信号を示すものとすることができる。例えば、伝送される情報は、会社の株価に関する金融情報であってもよい。株価に関する情報は、ライティングデバイスに伝達して、ライティングデバイスは、光またはライティング効果を生成するこもできる。株価が上昇すると、ライトは緑光を生成し、株価が下落するときには、ライトを赤に変化させてもよい。このライトは、上昇率または下落率を、青および黄の色の彩度を変化させて示すこともできる。株価が十分に高いレベルに到達すると、ライトが、緑色で点滅を開始して、ユーザの目をとらえることもできる。急激な下落によって、赤色光の点滅を開始してもよい。ライティングデバイスは、マーケットの終了時に連続的に変化するカラーを生成してもよい。カラーは、色相、彩度および明度の組合せであるので、これらの３つのパラメータは、複数の情報を反映することができる。例えば、株価を色相で表し、マーケット変動を明度で表し、外部の降雨は、彩度で表すことができる。
【００３３】
複数のライティングデバイスを使用して協調効果を生成することもできる。プログラム信号は、元の情報源、この例においてはコンピュータから直接に受領するか、あるいはこの信号を別のデバイスを介して再伝送することもできる。信号を再伝送する１つの方法は、ライティングデバイスに、通信を完了させることである。ライティングデバイスは、個別の送信装置を装備するか、またはライティングに使用するＬＥＤをライティングと通信の２つの目的に使用することもできる。限定はされないが、電磁波伝送、ＲＦ、ＩＲ、マイクロウエーブ、電線、ケーブル、ネットワーク、電話伝送または電力接続上での伝送などの他の多くの情報伝送の方法がある。複数のライティングデバイスを使用して、別個のチャネルの情報を受領することもできる。１つのライティングデバイスが、表示用の１種の情報を受け取り、別のデバイスを用いて別の信号を受け取ることもできる。
【００３４】
表示すべき情報は、ワールドワイドウエブから、または情報が転送される他のネットワークから受け取ることもできる。例えば、コンピュータは、ネットワークから情報を受け取ることができ、この情報をライティングデバイスに伝達することができる。この情報をまた、限定はされないが、衛星ネットワーク、通信ネットワーク、電気通信ネットワークを含む、他のネットワークから受け取ることもできる。ライティングデバイスに、そのような情報を受信するための受信装置を装備して、ある信号を受け取ったときに有色光を生成することによって応答することもできる。
【００３５】
図３は、１つのスタイルＬＥＤライティングデバイスを示す。ＬＥＤ３０４および制御ユニットを、限定はされないが、シェード、ファブリック、減光材料、半透明材料、プラスチック、プラスチックドーム、被彫刻材料、または他の任意の材料などの材料に取り付けることができる。この材料は、有色光の効果を最大化するために、その吸収特性または透過特性から選択してもよい。好ましい一実施態様においては、羊皮紙（parchment）を螺旋に形成して、その螺旋内部および外部セクションが、有色光を吸収、反射および透過するようにする。図３はまた、シェードを形成する別の方法を示している。このシェードは、ライティング効果を分布させるためのいくつかのカバー（wrap）１０８、３０２を含む。このライティングデバイスはまた、シェードまたは、他の材料の補助なしで、照明を配向することもできる。
ライティングデバイスは、限定はされないが、テーブル装着デバイス、壁装着デバイス、天井取り付けデバイス、または床取り付けデバイスなどの多くの形態をとることができる。図４は、燭台（sconce）であるような外見をした、壁取り付けデバイスを示す。ここでＬＥＤ３０４は、シェード４０２上で輝くような位置に取り付けられている。
【００３６】
図５は、１つまたは複数のライティングデバイス１０８が配置された部屋を示す。これらのライティングデバイスは、協調ライティング効果を生成するか、またはそれぞれが、スタンドアローン効果を生成することができる。協調効果は、限定はされないが、１つのライティングデバイスをマスターとして使用し、他をスレーブとして作用させる方法、アドレス指定可能なコントローラを有するライティングデバイスにアドレス付き情報を送る方法、またはこれらの方法の組み合わせた方法などの、多くの方法によって達成することが可能である。このマスタースレーブ設定においては、１つのライティングデバイスが、プログラム信号を受け取り、次いで新規または同一のプログラム信号を、他のライティングデバイスに転送してもよい。ライティングデバイスはまた、受け取った情報の一部を転送してもよい。この２番目の方法は、ネットワークソリューションと呼んでもよく、この方法では、ライティングデバイスのそれぞれが、それに関係する情報に聞き耳を立てている。アドレス付き情報を受け取ると、ライティングデバイスが、照明状態を開始できるようになる。
図６は、好ましい一実施態様において、情報がどのようにライティング状態に変換されるかを説明するフロー図である。情報の値を、システムが受け取り、この情報をライティング機能に変換することができる。このライティング機能は、次いで特定の色相、彩度、明度に対応するライティング制御信号に変換される。これらの制御信号が次いで、ライティングデバイスに通信されて、ライティングデバイスが、所望の照明状態を生成する。
【００３７】
ライティングデバイスは、別のデバイスに組み込むこともできる。図２は、２つのライティングデバイス２０８、２１２を備えるラップトップコンピュータ２０２を示し、１つはコンピュータ２０８のオン・オフスイッチを包囲し、１つは他スイッチと独立している。これらのライティングデバイスは、限定はされないがネットワークからの情報または機械の性能に関する情報などの任意の情報をユーザに通知するために有色光を生成するのに使用することもできる。ボタンインジケータ２０８を使用して、ラップトップがスリープモードに入りつつあるときに、スリープする以前にユーザに注意喚起することもできる。これはプレゼンテーション中に、重要な時点でシステムが停止するのを避けるのに有用である。他方のインジケータ２１２は、バッテリ寿命または、限定はされないがプロセッサスピード、ダウンロードスピード、ワールドワイドウエブのような外部信号から受け取る外部温度などの、その他の作動状態を表示するのに使用することができる。インジケータはまた、任意の形状をとることができる。例えば、コンピュータスクリーンを包囲する縁部２０４を、インジケータとして使用することもできる。縁部ライティングまたはその他の任意のライティングも、異なる情報を受け取りかつ表示するための別個のチャネルに分割することもできる。キーボード上の個々のボタンを、キーと共にインジケータとして使用することもできる。
【００３８】
ライティングデバイスを、情報伝達に使用できる場所の別の例としては、コンピュータ内、コンピュータルームまたはサーバルームがある。サーバルームまたはサーバビルティングは非常に複雑な領域であり、多くの事業においてショープレースともなっている。サーバおよびネットワークの多くは、システムの状態を検閲する専用のソフトウエアによって監視されている。これらのプログラムは、ネットワークトラフィックからネットワークデバイス上の個々のファン速度まですべてを監視する。このソフトウエアが、ネットワークまたは個々のデバイスのすべての態様を監視することによって、ネットワークマネージャがシステムパフォーマンスを最適化し、故障を防止することができる。システムを監視し、システム状態をネットワークマネージャに注意喚起するインテリジェントライティングデバイスを提供することは有用であろう。
【００３９】
ライティングデバイスは、限定はされないがラックマウント筐体、５．２５インチドライブスロット、または３．５インチドライブスロットなどのサーバまたはシステム上の既存ポート内にはめ込んで設けることもできる。このライティングデバイスは、個別のデバイスとすることもできる。ライティングデバイスは、サーバまたはその他のコンピュータ上の既存のスロットによって提供されるヒートシンクを使用することもできる。ライティングシステムは、ネットワークソフトウエアと関連させて、このソフトウエアは、システムの全体作動特性を提供するように適応させるか、またはネットワークマネージャが特定のパラメータを監視することを決定してもよい。システムは、特定のパラメータが性能的に低下しながら、全体的には許容できる性能を示しているかもしれない。これは、ライティングデバイスからの特定のライトパターンになることもある。このライトパターンは、５秒毎に放出される断続的な黄を伴う緑としてもよい。これによって、すべてが作動していたとしてもシステムを検査するための情報がマネージャに提供されることになる。ライティングデバイスは、システムが速度低下すると赤に変わり始め、システムが重大な状態のときには赤を点滅させるようにすることもできる。
【００４０】
情報システムの別の有用な例としては、タスクが完了する時間に関する情報を提供するのに使用する場合がある。コンピュータまたはその他のデバイスは、計算またはタスクを実行するのに拘束されることがあり、システムがこのような機能を実行している間は、デバイスに触れるべきではない。デバイスは、照明デバイスにライティング信号を送り、他の者がデバイスに触れないように注意喚起することができる。これらの信号は、照明デバイスに、デバイスが計算を実行している間は赤を照明するように命令し、計算が完了したときに、緑色になるまで色を変え始めることができる。
コンピュータルームの多くは、すべてのワイヤおよびケーブルを通すための上げ床、偽天井または壁を有する。フロア、天井および壁のタイルは通常、取り外し可能であり、これによってワイヤおよびケーブルを出し入れすることができる。これらのタイルの１つまたは複数を、ライティングデバイスで置き換えて、ライティングまたは情報を提供することもできる。このようなタイルの実施態様が、米国特許出願第０９／２１５，６２４号に開示されている。ライティングデバイスの個別のパネルを設けて、様々なチャネルまたは様々なレベルの表示を可能にすることもできる。
【００４１】
ネットワーク記憶領域内のハードドライブは、何度もユーザにアクセス可能にされる。これらのドライブは、ＬＥＤインジケータを備えて、動作、または電源または故障を表示してもよい。これらのインジケータは通常、単色の低出力ＬＥＤであり、点滅することによって表示をする。例えば、動作のインジケータは、ドライバにアクセスがある毎に点滅させてもよい。ユーザは、インジケータの点滅速度を見て、使用率の見当を得る。ユーザがドライブの大きなパネルを見るとき、ユーザには通常、多くの緑インジケータが点滅しているのが見え、１つのドライブを隣のドライブと識別することは非常に困難である。本発明のシステムの一実施態様は、そのようなドライブにおいて使用して、改良型の情報システムとして色彩効果または色変更効果を提供することができる。この情報ライティングシステムは、インジケータパネル、ライト、または全フロントプレートの形態とすることもでき、または筐体を使用してもよい。これの一実施態様が、米国特許出願第６０／２２１，５７９号「Color Changing Device and Enclosure（カラー変化装置およびエンクロージャー）」に開示されている。これらのハードドライブは、ホットスワップハードドライブ（Hot Swap Hard Drives）、モジュラードライブ（Modular Drives）、モジュラーベイ（Modular Bays）などと呼ばれることもあり、Dell、EMCおよびその他によって市販されている。このシステムは、ドライブ内で、ドライブ性能、余寿命、寿命、温度、スピンドル速度またはその他に関する情報を容易に表示するのに使用することもできる。このドライブはまた、セルフテストモードにすることもでき、ライティングデバイスを、テスト状態またはテスト結果の情報を提供するのに使用することもできる。
【００４２】
図７のフローチャート７００を見ると、情報システムには、情報を示す照明状態を表示するＬＥＤ照明ユニット１０８を含めることができる。このＬＥＤ照明ユニット１０８は、スタンドアローンデバイス、ネットワークデバイス、ネットワーク機器、ネットワーク周辺装置、ＬＥＤデバイス、プロセッサ付きのＬＥＤデバイス、または信号に応答して照明状態を変更することのできるその他の照明デバイスとしてもよい。またプロセッサを、ライティングデバイス内または関連して設けてもよく、このプロセッサは、コントローラ、アドレス指定可能コントローラ、マイクロプロセッサ、アドレス指定可能マイクロプロセッサ、コンピュータ、プログラマブルプロセッサ、プログラマブルコントローラ、専用プロセッサ、専用コントローラ、コンピュータ、ラップトップコンピュータまたはその他のプロセッサとすることができる
【００４３】
照明デバイス１０８が、情報信号を直接的に受け取り、この情報信号を照明デバイスの色相、彩度、明度を変更するのに使用してもよい。この情報信号には、金融情報、環境情報、コンピュータ状態情報、通知情報、電子メイル通知情報、状態情報またはその他の情報が含めることができる。この情報信号は、電磁転送、無線周波数伝送、赤外線伝送、マイクロ波伝送、音響伝送、有線伝送、ケーブル伝送、ネットワーク伝送、または他の任意の通信伝送を介して、ＬＥＤ照明デバイスに、通信してもよい。
【００４４】
ステップ７０２における情報源としては、ワールドワイドウエブ（ＷＷＷ）、データベース、ネットワーク、ソフトウエア、コンピュータ、コンピュータシステムまたはその他のシステムからとすることができる。情報はまた、ハイパーリンクまたはその他の情報転送機構を介して入手してもよい。この情報は、ディジタル信号またはアナログ信号の形態であり、アナログ信号は処理のためにディジタル信号に変換される。いったん情報が取得されると、それをステップ７０４で復号化する必要がないこともある。この復号化プロセスは、信号内の残りの情報から関連する情報を解読することを含むことがある。例えば、ワールドワイドウエブからウエブページ全体をダウンロードし、ユーザがライティングデバイスに送りたい情報は、Grand Rapids（グランドラピッズ）、Michigan（ミシガン）の積雪情報に関するものだけであるとする。その場合、この積雪情報が復号化されるか、またはその他の情報から検索され、さらに処理される。
【００４５】
ステップ７０４における復号化処理に続いて、ステップ７０８において情報をライティング制御信号に変換する必要がある。これは、プロセッサ上で実行する処理として、情報のフォーマットをライティングデバイスが実行することのできるライティング制御信号に変換することができる。例えば、積雪蓄積に関してワールドワイドウエブから検索した情報は、時間当たりのインチ数のフォーマットとすることができる。照明デバイスの特定の色相、彩度または明度を生成するために、この値を、ライティング制御信号に変換することが必要なこともある。
図７のフロー図７００に記載されている要素は、すべてを照明デバイスに組み込むか、または異なるデバイスに置いてもよい。要素間の通信が必要な場合には、無線周波数、赤外線、マイクロウエーブ、音響、電線、ケーブル、ネットワーク、電磁気またはその他の通信方法によって通信を達成することができる。
【００４６】
再び図１を参照すると、情報システムには、ユーザインタフェース１０２を設けてもよい。ユーザインタフェースは、照明デバイスによって表示される情報を選択するのに使用することができる。一実施態様においては、ユーザインタフェースは、コンピュータ、パーソナルディジタルアシスタンツ（ＰＤＡ）、コンピュータ周辺装置、ポータブルインタフェース、スタンドアローンインタフェース、ウエブブラウザ、ポータブルデバイス、スタンドアローンデバイス、ウエブサイト、タッチスクリーン、ＬＣＤスクリーン、プラズマスクリーン、ラップトップコンピュータ、またはその他の任意のユーザインタフェースとすることができる。ユーザインタフェースは、ＬＥＤ照明デバイスに通信すべき情報を選択するのに使用してもよい。例えば、インタフェースは、表示すべきウエブページからの情報を選択することができる。ユーザインタフェースは、ユーザが様々な情報を選択することを可能にし、次いでその情報を、ライティング制御信号に変換するすることができる。
【００４７】
図８は、本発明の原理によるシステムのブロック図を示す。プロセッサ２は、いくつかのコントローラ３と関連している。コントローラ３は、ＬＥＤ４への電力を制御する。プロセッサ２は、限定はされないが、コントローラ、アドレス指定可能コントローラ、マイクロプロセッサ、アドレス指定可能マイクロプロセッサ、コンピュータ、プログラマブルプロセッサ、プログラマブルコントローラ、専用プロセッサ、専用コントローラ、特定用途向け集積回路（ＡＳＩＣ）、集積回路、制御回路またはその他のプロセッサなどの、コントローラ３に制御信号を供給する任意のプロセッサまたは回路とすることができる。一実施態様においては、プロセッサ２は、マイクロチップＰＩＣ（Microchip PIC）プロセッサであり、ＬＥＤ４は赤、緑および青とすることができる。コントローラ３は、パルス幅変調器、パルス振幅変調器、パルス変位変調器、レジスタラダー、電流供給源、電圧供給源、電圧ラダー、スイッチ、トランジスタ、電圧コントローラ、その他のコントローラとすることができる。
【００４８】
コントローラは、ＬＥＤ４の電流、電圧または電力を制御する。コントローラはまた、信号入力部を有し、この信号入力部が受け取る信号に応答する。信号入力部は、プロセッサが信号を信号入力部に通信するようにプロセッサと関連づけられており、コントローラがＬＥＤの、電流、電圧および／または電力を調整する。一実施態様においては、異なるスペクトル出力を有するいくつかのＬＥＤを用いることができる。これらのカラーのそれぞれは、個別のコントローラによって駆動してもよい。プロセッサおよびコントローラは、１つのデバイスに組み入れることができる。このデバイスは、いくつかのＬＥＤを列にして駆動する電力供給機能を有してもよく、あるいは１つまたはいくつかのＬＥＤを直接サポートできるだけとしてもよい。プロセッサおよびコントローラは、個別のデバイスとしてもよい。
【００４９】
ＬＥＤを独立に制御することによって、ライティング効果の生成のための、混色（color mixing）を達成することができる。電子メモリ６を設けることもできる。このメモリ６は、制御信号に関連するアルゴリズム、表、ファイル、または値を記憶することができる。一実施態様においては、メモリ６はＬＥＤ４を制御するためのプログラムを記憶することができる。プログラムは、例えば、いくつかの異なるカラーＬＥＤを動作させるための制御信号を記憶することができる。ユーザインタフェース１を、プロセッサ２と関連させることもできる。ユーザインタフェースを用いて、メモリからプログラムを選択し、メモリからのプログラムを修正し、メモリからのプログラムパラメータを修正し、外部信号を選択するか、または他のユーザインタフェースソリューションを提供することができる。混色およびパルス幅変調制御が、米国特許第６，０１６，０３８号「Multicolored LED Lighting Method and Apparatus（多色ＬＥＤライティング方法および装置）」に開示されており、本願に参照として組み入れる。プロセッサ２は、アドレス指定可能とすることによって、それに宛てられたプログラム信号を受け取ることもできる。
【００５０】
ＬＥＤ照明デバイスは、信号入力接続に関連づけてもよい。情報信号は、信号入力接続または受信装置１１２または１１０に関連づけてもよい。プロセッサは、情報信号を照明制御信号に変換することができ、照明デバイスが情報信号に対応して色を変更することができる。第２のプロセッサを設けてもよい。この第２のプロセッサは、情報信号をライティング制御信号に変換することができる。これらのライティング制御信号は、ＬＥＤ照明デバイスに通信することができる。
本発明の一実施態様は、プロセッサによって実行可能な情報の復号化の方法である。ユーザインタフェースを設けて、そこに情報を表す画像を表示してもよい。情報は、ユーザインタフェースから選択することができる。この情報は、ライティング制御信号に変換して、このラインティング制御信号を通信ポートに通信することができる。この通信ポートは、ＵＳＢポート、シリアルポート、パラレルポート、ファイアワイヤポート（firewire port）、高速通信ポート、オプティカルポートまたはその他の通信ポートとすることができる。
【００５１】
情報を収集して、その情報をライティング制御信号に変換するように設計されるソフトウエアプログラムの例は、Brian Chemel（ブライアン  ケメル）著作によるDMXPlayerFrame.javaにある。このプログラムのコードを、付属Ａと表記して、明細書の一部として含めてある。
別の実施態様においては、ライティングデバイスは、機器の中に組み入れて、機器の動作を表示するようにすることもできる。このような例としては、ライティングデバイスをアイロンの中に組み込んだ例がある。このライティングデバイスは、ホットプレートの温度を示してもよい。インジケータは、アイロンの状態を表示するために、温度センサ、タイマーまたはその他のデバイスと関連づけてもよい。アイロンの温度が上がるにつれて、ライティングデバイスは、青から緑、黄にゆっくりと変わり、最終的に、所望の温度に達するか、または機器が所定温度以上になったときに、赤に変わるようにすることもできる。封入容器（enclosure）全体をライティングすることも、または封入容器の一部をライティングすることもできる。このライティングデバイスは、その機器の他の任意のパラメータを表示してもよい。機器内の水のレベルを監視して、この情報をライト制御信号に変換し、特定の照明効果を生成してもよい。
【００５２】
このライティングデバイスは、色相、彩度、明度を広範囲に生成することができ、これらのパラメータのそれぞれは、独立に変化させることができる。それぞれのパラメータは、異なる情報を表示するのに使用することができる。例えば、システムが株価を監視している場合には、株価が所定の値を超えた結果として、色相を変化させてもよく、また株価が所定の値に対してどの程度超過したかの結果として彩度を変化させてもよい。別の例としては、色相がパラメータを表し、明度および彩度が、パラメータのレベルを表す場合がある。ライティングデバイスは、株式ポートフォリオおよびケイマン諸島（Cayman Islands）の気温を、モニタリングしているとする。赤の色相が、ライティングデバイスが株式ポートフォリオを監視していることを示し、緑の色相が温度を示してもよい。特定の色相の明度または彩度を、ポートフォリオまたは気温の上昇と共に、増加させることができる。
【００５３】
これらのデバイスはまた、別のデバイスに応答するか、または情報を送るように設計することもできる。デバイスは、そのデバイスの周辺またはそれ自体の動作を監視するための、センサ、トランスデューサ、またはその他のデバイスと関連づけることができる。例えば、デバイスをセンサと関連づけることによって、デバイスが持ち上げられたときに、限定はされないが、ネットワークなどの他のデバイスに信号を送るようにすることもできる。次いで、この信号が、さらなる動作をする別のデバイスによって解読されるようにすることができる。
ライト付キーボードは、タイピングを教えたり、あるいはその他の情報を表示するのに使用することもできる。教育に置いては、各キーの下に配置されたインジケータを単一ＬＥＤとして、１色のみを生成するか、またはマルチカラーＬＥＤを含めることもできる。生徒が特定のキーに接触することが想定されるときに、キーが発光し、指示に従わなかった場合に、カラーを変化させるようにすることもできる。有色またはライト付きキーを使用して、ゲームを創作することもできる。
【００５４】
本開示の別の実施態様は、車両内において情報システムとライティングデバイスを組み合わせて利用する。車両応用においては、ＬＥＤライティングデバイスを使用して、車両内または車両と関連する、内装、外装をライティングすることができる。車両照明の理由は、全般情報を提供するため、装飾目的、機器の観察、情報伝達、またはその他の任意の目的などの場合がある。米国特許出願第０９／２１３，６０７号「Systems and Methods for Sensor-Responsive Illumination（センサ感応照明システムおよび方法）」を参照されたい。車両のダッシュボードを、色変更の可能なＬＥＤデバイスを用いて照明し、このライティングデバイスが、マニュアル入力、センサ入力、トランスデューサ入力、またはその他の任意の入力の結果として、色を変えることができる。
【００５５】
図８のブロック図は、本発明の原理による、照明方式車両情報システムに適したブロック図を示している。本明細書において開示する他の情報システムと同様に、プロセッサ２は、いくつかのコントローラ３と関連する。コントローラ３は、ＬＥＤ４への電力を制御する。本明細書における使用においては、プロセッサの用語は、電子信号を処理するための任意のシステムを意味することができる。プロセッサとしては、マイクロプロセッサ、マイクロコントローラ、プログラマブルディジタルシグナルプロセッサ、その他のプログラマブルデバイス、コントローラ、アドレス指定可能コントローラ、アドレス指定可能マイクロプロセッサ、コンピュータ、プログラマブルプロセッサ、プログラマブルコントローラ、専用プロセッサ、専用コントローラ、集積回路、制御回路またはその他のプロセッサを含むことができる。プロセッサはまた、あるいはその代わりに、特定用途向け集積回路（ＡＳＩＣ）、プログラマブルゲートアレイ、プログラマブルアレイロジック、プログラマブルロジックデバイス、ディジタルシグナルプロセッサ、アナログ・ディジタルコンバータ、ディジタル・アナログコンバータ、あるいは電子信号を処理するように構成することのできる任意の他のデバイスを含むことがある。
【００５６】
さらに、プロセッサは、レジスタ、キャパシタ、インダクタ、トランジスタ、オペレーショナルアンプ、その他を含むの受動または能動アナログ構成要素などのディスクリート回路、およびロジック構成要素、シフトレジスタ、ラッチ、または別個にパッケージされたチップもしくはディジタル機能を実現するためのその他の構成要素などのディスクリートディジタル構成要素を含めることができる。上記の回路および構成要素の任意の組合わせを、チップ、チップセットあるいはダイとしてディスクリートにパッケージされていてもいなくても、本明細書に記載するプロセッサとして使用するように適合させることができる。プロセッサの用語は、パーソナルコンピュータ、ネットワークサーバ、またはその他の自律的に作動するか、またはコマンドに応答して、本明細書に記載したような電子信号を処理する、その他のシステムに応用できることが理解されるであろう。プロセッサがマイクロプロセッサまたは上記のようなマイクロコントローラのようなプログラマブルデバイスを含む場合には、プロセッサはさらに、プログラマブルデバイスの動作を制御するコンピュータ実行可能コードを含んでもよい。一実施態様においては、プロセッサ２はMicrochip （マイクロチップ）PIC processor （プロセッサ）12C672であり、ＬＥＤ４は赤、緑および青とすることができる。
【００５７】
コントローラ３は、パルス幅変調器、パルス振幅変調器、パルス変位変調器、レジスタラダー、電流供給源、電圧供給源、電圧ラダー、スイッチ、トランジスタ、電圧コントローラ、またはその他のコントローラとすることができる。コントローラは、ＬＥＤ４の、電流、電圧または電力を制御する。コントローラはまた、信号入力を有し、この信号入力部が受け取る信号に応答する。信号入力部は、プロセッサが信号を信号入力に通信するようにプロセッサと関連づけられており、コントローラがＬＥＤ電流、電圧および／または電力を調整する。一実施態様においては、異なるスペクトル出力を有するいくつかのＬＥＤを用いることができる。これらの色のそれぞれは、個別のコントローラによって駆動することができる。プロセッサおよびコントローラは、１つのデバイス中に組み入れてもよい。デバイスは、いくつかのＬＥＤを列として駆動する機能に給電できるようにするか、または１つまたはいくつかのＬＥＤを直接的にサポートできるだけにしてもよい。プロセッサおよびコントローラは、個別のデバイスとしてもよい。ＬＥＤを独立に制御することによって、ライティング効果を生成するための混色を達成することができる。
【００５８】
電子メモリ６を設けてもよい。メモリ６は、制御信号に関連するアルゴリズム、表、または値を記憶することができる。メモリ６は、ＬＥＤ４を制御するためのプログラムを記憶することができる。このメモリは、メモリ、読取り専用メモリ、プログラマブルメモリ、プログラマブル読み取り専用メモリ、電子消去可能プログラム可能読取り専用メモリ（ＥＥＰＲＯＭ）、ランダムアクセスメモリ（ＲＡＭ）、ダイナミックランダムアクセスメモリ（ＤＲＡＭ）、２倍速ランダムアクセスメモリ、Rambus（ラムバス）ダイレクトランダムアクセスメモリ、フラッシュメモリ、またはプログラム命令、プログラムデータ、アドレス情報、およびプログラム出力もしくはその他の中間もしくは最終結果を記憶するためのその他の任意の揮発性もしくは不揮発性メモリとすることができる。プログラムは、例えばいくつかの異なるカラーＬＥＤ４を動作させる制御信号を記憶することができる。ユーザインタフェース１は、プロセッサ２と関連させてもよい。ユーザインタフェースは、メモリからプログラムを選択すること、メモリからのプログラムを修正すること、メモリからのプログラムパラメータを修正すること、外部信号を選択すること、またはその他のユーザインタフェースソリューションを提供することに使用してもよい。混色およびパルス幅変調制御についてのいくつかの方法が、米国特許第６，０１６，０３８号、「Multicolored LED Lighting Method and Apparatus（多色ＬＥＤライティング方法および装置）」に開示されており、これを参照として本願に組み入れる。プロセッサ２をアドレス指定可能として、それに宛てられた情報信号を受け取ることもできる。
【００５９】
別の有用なインタフェースとして、電源と関連するインタフェースがある。エネルギー貯蔵要素を、電力源と関連づけることもできる。エネルギー貯蔵デバイスは、プロセッサと関連づけることもできる。エネルギー貯蔵要素としては、キャパシタ、不揮発性メモリ、バッテリ補助メモリ、リレー、記憶デバイスまたはその他のエネルギー貯蔵デバイスとすることができる。この要素は、要素の状態に応じて、ロジックハイ信号およびロジックロー信号をプロセッサに通信することができる。例えば、要素は、デバイスが電源に接続されているときにローロジック信号を通信し、デバイスが電源から切断されているときにハイロジック信号を通信する。ハイロジック信号は、所定の時間後に、ローロジック信号に変化させてもよく、プロセッサがこの信号を監視してもよい。ライティングデバイスは、最後のライティングプログラムが、デバイスが切断されたときに動作しているようにプログラムすることもできる。デバイスが所定の期間内に再通電されたとき、ロジック信号がまだハイである間に、デバイスは、実行するための新しいプログラムをメモリから選択することができる。デバイスが所定の期間内に再通電されない場合には、デバイスは最後のライティングプログラムか、あるいはデフォールトプログラムで開始することができる。不揮発性メモリ、バッテリ補助メモリまたはその他のメモリを設けて、最後のプログラムを記憶させることもできる。この技法は、プログラム、プログラムパラメータまたはその他の設定を変更するのに使用することができる。この技法は、ライティングデバイスへの電力をオン・オフさせることによって、別個のユーザインタフェースを含まないデバイス内で使用することができる。また別個のスイッチを用いて、オン・オフスイッチと共に、ユーザインタフェースを提供してもよい。
【００６０】
車両の部分を、ＬＥＤでライティングし、多様な異なる照明効果を生成することができる。図１０は、少なくとも１つのＬＥＤ１００２とプロセッサ１００４とを含む、ＬＥＤライティングデバイス１０００を示す。プロセッサは、プロセッサ、マイクロプロセッサ、回路、コンピュータ、マイクロコンピュータ、コントローラ、ネットワーク、またはＬＥＤを制御して照明を生成するためのその他のプロセッサなどのデバイスとすることができる。プロセッサ１００４は、ＬＥＤ１００２と関連づけることによって、ＬＥＤ１００２の出力を制御してもよく、プロセッサ１００４はライティングデバイス内に組み込んでも、または遠隔配置してもよい。ライティングデバイスは、外部方法によって給電することも、オンボード手段で給電することもできる。オンボードソリューションには、バッテリ、セル、ソーラーシステム、再充電可能システム、風力システム、水力システムまたはシステムに電力を供給するその他の任意のシステムを提供することが含まれる。
【００６１】
物体を、１つまたは複数のＬＥＤでライティングして、照明を提供することができる。１つのＬＥＤを使用するときは、物体は、強度（intensity）の変化する一色でライティングするか、または強度を一定とすることができる。好ましい一実施態様においては、ライティングされる物体は、複数のＬＥＤを含み、別の実施態様では、ＬＥＤは異なる色のものである。ライティングされる物体に異なるカラーＬＥＤを備えることによって、物体の色相、彩度および明度を変えることができる。複数のＬＥＤを使用して、追加の色を提供することができる。２つのＬＥＤを使用して、それぞれの色をオン、オフする回路を備える物体をライティングする場合には、両方のＬＥＤが通電されない場合の黒を含めて４色を生成することができ、２つの強度レベルを有する２つのＬＥＤでは２２色が得られる。別の例では、３つのＬＥＤを使用して物体をライティングし、各ＬＥＤが３つの強度設定を有する場合である。この構成では、３３または２７のカラー選択が可能になる。好ましい一実施態様では、ＬＥＤ制御信号は、チャネル当たり少なくとも１つのＬＥＤを備える３つのＬＥＤチャネルを使用してマイクロプロセッサによって生成されるＰＷＭ信号であり、１６７０万色を生成する。
【００６２】
ライティングデバイスは、互いにネットワーク化することによって、協調効果まはたその他の効果を提供することができる。図１１は、そのようなネットワークソリューションの１つを示す。複数のライティングデバイス１０００が、ネットワーク１１０４を介して関連している。ネットワーク１１０４は、トランスミッタ、回路またはネットワーク１１０４を介して、ライティング制御信号を、デバイス１０００に供給することが可能であり、デバイスは、ライティング制御情報を受け取るためのアドレス指定可能コントローラを備えてもよい。このネットワークは、電線、ケーブル、ネットワーク、電磁伝送、ＲＦ伝送、ＩＲ伝送、マイクロ波伝送またはその他の通信方法を使用することができる。アドレス付き情報のパケットを、ネットワークを介して送ることにより、個々の、または一群のライティングデバイスは、そのアドレスを聞くように待機し、そのパケットを受領すると、ライティング制御命令を実行するようにできる。情報のパケットは、すべてのライティングデバイスに送付され、デバイスはアドレス指定可能なコントローラを備えないこともある。ネットワーク化されたシステムの別の構成としては、図１２に示すように、マスターライティングデバイス１１０２と少なくとも１つのスレーブデバイス１０００を使用するものがある。マスターデバイスは、ライティング命令を、スレーブデバイスに通信し、いくつかのスレーブデバイスは、アドレス指定可能コントローラを備えて、協調効果を提供することもできる。
【００６３】
照明用途の多くは、個々のライティング効果を提供する、スタンドアローンデバイスを使用することもできる。ライティングデバイスは、ユーザインタフェースと関連づけて、例えばメモリからプログラムを選択することができる。ライティングデバイスは、新規のプログラムを受領するためのデータポートを備えることもできる。ライティングデバイスは、複数のライティング制御ルーチンをプログラムすることによって、異なる一体色（solid color）、低速変化色、高速変化色、点滅光、またはその他のライティングルーチンを、ユーザが選択できるようにすることもできる。セレクタスイッチを使用して、プログラムを選択することもできる。プログラムを選択する別の方法としては、ライティングデバイスへの電力をオフにして、次いで所定の時間内にオンに戻す方法がある。例えば、不揮発性メモリを使用して、電力が遮断される以前に、それが実行していた最後のプログラムを記憶するライティングデバイスを提供することもできる。キャパシタを用いて、１０秒間信号ラインをハイに保ち、この周期内に電力が繰り返されると、システムを次のプログラムにスキップするようにプログラムすることもできる。電力周期が１０秒以上かかる場合には、キャパシタは、ハイ信号レベル以下で放電し、システムを再通電すると以前のプログラムが呼び戻される。プログラムを繰り返すその他の方法は、当業者には明らかであろう。
【００６４】
ライティングデバイスは、外部信号を受け取り、受領した信号に対応する照明状態を生成することもできる。これは、センサ、トランスデューサ、信号、ネットワーク信号またはその他の信号に応答して照明状態を変化させるのに有用な技術である。センサは、電磁信号、ＲＦ信号、マイクロ波信号、ＩＲ信号、音響信号またはその他の信号などの通信信号を受信するように装備してもよい。通信信号の受領は、電線、ケーブル、ネットワーク、受信装置、電磁気受信装置、音響受信装置またはその他の適当な受信装置によって達成することができる。通信信号は、ライティングデバイスが使用するライティング制御信号として伝送してもよく、あるいは信号は、ライティング制御信号に変換するために、何らかの変換、説明、信号処理またはその他の処理を必要とすることもある。例えば、センサはライティングデバイスにアナログ電圧を供給し、ライティングデバイスは、その電圧をディジタル信号に変換して、ＬＥＤを制御することができる。ＬＥＤに送られた制御信号は、センサ電圧に対応して、センサ電圧と相関のある照明効果を生成することができる。
【００６５】
車両への応用においては、ＬＥＤライティングデバイスは、車両内または車両に関連する、インテリア、エクステリアをライティングするのに使用することができる。車両照明の理由には、一般照明の提供、装飾目的、計器の観察、情報の伝達、またはその他の目的がある。米国特許出願第０９／２１３，６０７号、「Systems and Methods for Sensor-Responsive Illumination（センサ感応照明システムおよび方法）」を参照されたい。車両のダッシュボードは、色変更可能なＬＥＤデバイスで照明して、このライティングデバイスが、手入力、センサ入力、トランスデューサ入力またはその他の任意の入力による結果として、色を変えるようにしてもよい。
【００６６】
一例として、２つの異なるカラーＬＥＤの組合せを含むライティングデバイスを提供することができる。このライティングデバイスを用いて、インスツルメントパネル、インスツルメントパネルの部分、またはタコメータなどの車両のダッシュボード上の特定の計器をライティングすることができる。図９はタコメータ９０１を示す。ライティングデバイスは、エンジン速度をモニタする車両の様々な部分からの信号を受け取ることもできる。このエンジン速度は、次いでライティングデバイスに伝送されて、エンジン速度の変化に応じてタコメータが色を変えるようにすることもできる。これを用いて、タコメータの機械部分を補足するか、またはタコメータを代替することもできる。エンジン速度に一致してカラーを連続的に変化させたり、ライティング状態を段階的に変えたり、所定のレベルでその他の効果を生成しすることができる。例えば、タコメータを１つまたは複数のＬＥＤでライティングし、エンジン速度が警報レベルに達して照明状態が黄色に変わるまでは、白色パネルの外観を生成してもよい。さらにエンジン速度が上昇するときには、ライティング状態は、タコメータを赤に変えて、特定のエンジン速度を超える場合には、さらに閃光赤色を点滅させたり、所定の時間保持したりしてもよい。インスツルメントの一部分を、ＬＥＤデバイスでライティングしてもよい。例えば、タコメータと共に、ライティングパネルを設けて、このパネルが、エンジン速度に応じて、色を変えたり、所定の色を生成して応答するようにしてもよい。
【００６７】
情報を提供するためのこの種の可変照明は、車両の様々な領域で使用して、様々な、性能、周囲、環境またはその他の状態に関する情報を提供することができる。例えば、内部温度、外部温度、エンジン速度、オイル圧力、車両速度、空気品質、システム設定、衝突危険、交通密度、燃費率、燃料残量、バッテリ状態、または電気自動車用にバッテリ残量、あるいはその他の情報を、可変照明状態に変換することもできる。ネットワーク通信に関する情報も表示することもできる。例えば、ライティング条件は、新規の電子メイルまたは電話の着信を表して変化させることもできる。ライティングは、ダッシュボードの領域はドライバにとってより見えやすいが、これに限定されることなく、車両性能、システム設定、およびその他の有用な情報もしくは必要な情報に関して、見やすく、分かりやすい情報をドライバに提供することができる。このような情報デバイスは、ヘッドアップディスプレイに用いて、ウインドシールドまたは情報を投影するその他の領域に、情報を伝達することもできる。ＬＥＤライティングシステムは、車両全体に用いて、装飾または情報ライティング効果を提供することができる。
【００６８】
これらのライティングシステムは、マニュアルスイッチ、スライダ、ダイアル、その他のデバイスと共に用いて、手動で設定を変更することもできる。車両のユーザは、インテリア、エクステリアまたは車両の内部空間の色を、特定の色に変更したり、色変更効果を出すことを望むこともある。装飾的な色変更効果の一例として、ライトの色が、色相環（color wheel）と同様に、徐々に変化するものがある。
この様なライティングデバイスの別の有用な例としては、一般照明と共に装飾表示として用いる場合がある。カップホルダをそのようなライティングデバイスでライティングしてもよい。このシステムは、カップホルダの回りのリングをライティングするための光ファイバシステムを含むことができる。例えば、複数のＬＥＤを、ファイバに光を結合するように配置して、このファイバをカップホルダの回りに配置することができる。次いで光がファイバに結合して、ファイバを通過して伝送される。ファイバは艶消しとしたり、パターンを設けたり、欠陥を与えたり、またはその他の特徴を持たせることによって、艶消しやパターンによって光が進路を変えたり、ファイバ外に投射されたりする。艶消しファイバを使用すれば、糸が均一にライティングされるような幻想を生成することができる。このようなデバイスはまた、前述のようにユーザに情報を運んだり、あるいは一定色デバイスもしくは手入力で変更するカラーデバイスとすることもできる。
【００６９】
チェーシングレインボー（chasing rainbow）などの協調効果またはその他の効果を、ライティングデバイスを互いにネットワーク化することによって生成することができる。これは、例えば車両の外側の装飾において有用である。車両の下部を、複数のライティングデバイスでライティングし、光を地面に投射して移動色変更効果を車両の回りに生成することもできる。米国特許出願第０９／２１５，６２４、「Smart Light Bulb.（スマート電球）」を参照されたい。
車両内のドームライトおよびタスクライトを、ＬＥＤライティングデバイスで補足、または代替することも非常に有用であり得る。これらのライトから投射された色は、次いで様々な状態に調整可能である。ライティングデバイスは例えば、ライティングはするが、眼の疲労と、眼が暗状態に順応しているときに眼を白色光に過剰露出することを避けるための、赤色選択用のセレクタを含んでもよい。ライティングはまた、車がロックを外されるか、あるいは警報が解除されたときに、特定の色を投射するように設定することもできる。これによって、車両の内部を点滅する青にしたり、色を変えたりして、混雑した駐車場でユーザが自分の車を探すのを助けることができる。
【００７０】
またブレーキペダルの圧力、変位またはその他の入力に対応して輝度の変化するブレーキライティングシステムを提供することも有用であろう。これは、例えば、ドライバの意図を誤って表示することに関連する問題を軽減するのに使用できる。従来型の白熱灯ブレーキライティングシステムを用いて、ブレーキペダル位置と関係して、ライティング器具に供給する電圧を変化させることによって、可変輝度システムを利用することもできる。低電力で白熱電灯に通電することに関連する重大な問題は、白熱電灯が十分迅速に加熱されず、その結果、必要とされるほど迅速に所望の輝度に達しないことである。この種の制御は、従来型の発光ダイオードブレーキライティングシステムでは達成が不可能であったが、その理由は、これらのシステムは、光強度を変化させる手段を備えず、発光ダイオードをオン、オフさせる単純な回路を使用しているためである。
【００７１】
本発明によるライティングシステムは、警報システムとしても使用することもできる。例えば、車両のブレーキライティングシステムを、様々な効果を提供するように設計することもできる。発光ダイオードブレーキライト強度が、ブレーキペダル変位または圧力に対応するような、ブレーキシステムを製作することができる。ブレーキ速度、ペダル圧力、またはその他のドライバ意図の測度が測定されるとき、対応するライティング制御信号をブレーキライティングシステムに送ることもできる。例えば、ドライバがほんの軽くブレーキをかけると、ブレーキライティングシステムが低いレベルで発光することができる。これによって、ドライバが減速しつつあり、急停止しようとはしていないことが、後続車に表示される。別の例では、ブレーキ液配管内の圧力、またはブレーキディスクにかかるブレーキパッドの圧力が、ブレーキシステムへの信号を提供するのに使用される。車両の速度、または車両が速度を変える変化率も、ブレーキングシステムへの信号を提供するのに使用することができる。最低の光強度を、警報を生じるのに十分な高さのレベルに固定することができる。発光ダイオードは、低い強度レベルであっても、ほとんど瞬時に光を生成し、非常に迅速な警報を提供し、白熱灯システムに関連する問題であるターンオン時間が遅いという問題を回避することができる。
【００７２】
このようなシステムの一つは、位置、圧力、速度またはその他のトランスデューサを、ブレーキペダル上またはブレーキシステム内に備えることもできる。その他のセンサを、所望のライティング変化を表示するのに必要な信号を生成することもできる。例えば、ペダルを押すと、トランスデューサが、発光ダイオードを駆動するマイクロプロセッサへの入力信号として使用される制御信号を出力することもできる。次いでマイクロプロセッサは、対応するＰＷＭ信号を生成して、発光ダイオードに通電することができる。その他の入力信号を、車両速度センシングシステムに接続されたデバイスから生成することもできる。
【００７３】
本発明の原理によるシステムは、その他の警報信号を生成するのに使用することもできる。例えば、ブレーキペダルが大きな力または速度で押されるとき、発光ダイオードを反復させて、ブレーキライトを、最高輝度で警報パターンにして点滅させることもできる。この種の警報信号に対しては、発光ダイオードシステムは、その応答が速いので、白熱灯システムよりもはるかに優れている。発光ダイオードは、白熱灯自動車用フラッシャまたはブリンカアセンブリのような、遅い点滅速度よりも、ストロボ効果を生成するのに十分な速さで反復させることができる。これらのライティング効果を、車両が故障したり、停止したことを表示するフラッシャとして使用するなど、その他の車両内の機能と組み合わせることもできる。ハザードライトスイッチまたはフォグライトスイッチなどの車両内のその他のスイッチも、発光ダイオードライティング器具を点灯させることもできる。ハザードライティングを提供するのに発光ダイオードを使用することの別の利点は、白熱灯システムよりもはるかに電力消費が少なくいことである。低電力消費にすることで、利用可能な電力がバッテリだけのときに、車両が警報ライトを作動させることのできる時間が長くなる。車両の視界の悪い状態で運行している状態においては、フォグライトスイッチを使用して、１つまたは複数の発光ダイオード器具の一部分を起動させて、警報ビーコンを出すこともできる。
【００７４】
警報システムは、複数の異なるカラーＬＥＤを使用して、色変更効果および／または組み合わせライティング効果を提供することもできる。例えば、複数のカラーＬＥＤからの光を用いて、混合色を生成することもできる。これは、特定の警報または情報が必要な場合に有用である。テイルライトアセンブリの一部分を、霧の発生状況においてオレンジ色を生成するように変更することによって、車両の後部にビーコンを提供することもできる。ライトアセンブリを緑に変えて、車両が特定の状態にあることを表示してもよい。
【００７５】
本発明によるライティングシステムは、診断ツールとして使用することもできる。このライティングシステムは、車両の内部、車両の外部、車両の各部の中、または車両に関連するか、もしくは遠い別の位置におくことができる。今日の車両の多くは、情報を送信および受信するための入力および出力ポートを備えている。例えば、メカニックは診断システムを車両上のポートに接続して、車両の作動に関する情報を受け取ることができと共に、メカニックは、車両のシステム情報を送り、パラメータを変更、設定またはリセットすることもできる。これらの同一またはその他の通信ポートは、車両の作動に関するライティングシステム情報を送信するのに使用することもできる。本発明の原理によるライティングシステムを使用して、車両から信号を受け取り、信号中の情報に対応する色彩またはライティング効果を表示することもできる。車両から受け取る信号は、ライティング制御信号に変換する必要があることもある。この変換は、例えばプロセッサを用いて達成することができる。このプロセッサは、その信号を受け取り、かつ解読し、次いで対応するライティング制御信号を通信するようにプログラムすることができる。
【００７６】
このようなライティングシステムの有効な配置の１つは、ボンネットが開けられるときに見えるように車両のボンネットの下に配置することである。ライティングデバイスの色または照明デバイスから放射される照明の色は、任意の故障情報、メンテナンス問題、またはその他の情報を示すことができる。これを使用して、車両内のインジケータライトを代替または補助することも可能である。例えば、故障またはその他の情報を表示するのに複数のライトを備えるのではなく、本発明による単一ライティングユニットを使用することもできる。このシステムは、特定の色または色変更効果を生成することによって、異なる故障または情報を示すことができる。例えば、十分な寸法、例えば１インチ四方のパネルを、本発明の原理によるライティングシステムを用いてバックライト照明することもできる。ライティングシステムは、パネルの色を変化させて、特定の状態または情報を表示することができる。本発明の原理によるシステムは、車両の外部からの信号を受け取ることもできる。例えば、システムはネットワーク信号、伝送、電気通信信号、ワールドワイドウエブからの信号、ローカルエリアネットワーク、パーソナルエリアネットワーク、またはその他の信号を受け取ってもよい。そうすれば、このパネルは、着信電話の送信元、電子メイルの受領、金融情報またはその他の情報を表示することができる。
【００７７】
本発明の別の実施態様は、オフィス、作業現場、ホームオフィス、部屋、ドームルーム、または同様のユーザ環境に適する情報システムである。この情報システムは、変数を表すデータを受け取り、システムはこの情報を、情報を表す光に変換することができる。例えば、情報システムは個人の純資産（net worth）に関するデータを受け取り、この値を、平均値に比較した実際値に応じて、特定の色の光に変換することができる。純資産が平均値よりも大きい場合には、ライトの色は、緑となり、値が高くなるにつれて光がより青に変化するようにできる。純資産値の値が、平均値よりも低い場合には、光はピンクとなり、徐々に赤に変化し、この値が、ある所定値で底に達すれば、点滅赤色光パターンで終わる。純資産が、所定の値に達するまで、ライトをオフとしてもよく、それから光はオンとなり点滅パターンを生成する。このシステムはまた、１つのカラーをオフに、別のカラーをオンにすること、例えば値が赤領域にあるときに、次いで緑にすることによって、色を急に変える。当業者であれば、受領した情報に関する情報を表示するために生成することのできる多くの光の色およびパターンがあることを理解するであろう。
【００７８】
図１３は、本発明の原理による情報システムを表す。この実施態様では、側面または側面パネル１３０２を有するキューブ１３００が示されている。この側面パネルは、意匠、画像、ロゴその他１３０４を含むことができる。意匠１３０４は、側面パネル１３０２に取り外し可能に取り付けるか、または側面パネル１３０２に永久的に組み付けるか、エッチング加工してもよい。意匠は、側面パネル１３０２に埋め込んでもよい。図１３に示すようなシステムは、側面パネルおよび／または意匠が照明されるようにライティングシステムを含むこともできる。
図１４は、本発明の原理によるライティングシステムを示す。少なくとも１つのＬＥＤ、好ましくはＬＥＤの群１４０４を、側面パネル１３０２および／または意匠１３０４を照明するのに使用することができる。ＬＥＤ１４０４は、すべて同じ色でも、異なる色でもよい。好ましい一実施態様においては、ＬＥＤ１４０４は、異なるカラーＬＥＤ１４０４、すなわち１４０４Ｒ赤、１４０４Ｇ緑、１４０４Ｂ青としてもよい。異なるカラーＬＥＤ１４０４を用いることによって、多くの異なる色を、複数のＬＥＤ１４０４からの光を組合わせて生成することができる。
【００７９】
一実施態様においては、異なるカラーＬＥＤ、１４０４Ｒ、１４０４Ｇ、１４０４Ｂを使用して、側面パネルの意匠をライティングすることができる。個別の色彩は、個別の時間に通電されて、その意匠の個々の色彩を生成するか、または複数の色を、同時に通電して、意匠を照明するための混合色を生成する。
図１５を参照すると、好ましい一実施態様においては、個別のＬＥＤ１４０４Ｒ、１４０４Ｇ、１４０４Ｂを、プロセッサ１５０２によって制御することができる。プロセッサ１５０２は、パルス幅変調信号を生成するか、またはＬＥＤをアナログ電圧またはその他の手段で駆動することができる。単一のＬＥＤを用いるか、またはプロセッサを介して異なるカラーＬＥＤを組み合わせる、色変更技術が、米国特許第６，０１６，０３８号に教示されており、これを本願に参照として組み入れる。図１４は、ＬＥＤ１４０４が、側面パネル１３０２および／または意匠１３０４を照明するように配設することができることを示している。当業者であれば、パネル１３０２の照明にＬＥＤ１４０４を使用することのできるその他の多くの構成があることを理解するであろう。
【００８０】
本発明の原理によるライティングシステムのブロック図を、図１５に示してある。ＬＥＤ１４０４は、プロセッサ１５０２によって個別に制御することができる。プロセッサ１５０２は、メモリ１５０４に関連付けられて、このメモリが、受領する情報と関連させることのできるライティングのプログラムまたは信号を含むことができる。好ましい一実施態様においては、プロセッサは、マイクロセッサであるが、当業者であれば、多くの種類のプロセッサおよび使用可能な処理回路があることを理解するであろう。情報信号は、データポート１５０８を介して受け取ることができる。このデータポート１５０８は、電線または無線ポートである。データは、ほとんどの任意の変数に関する可変情報を含むことができる。例えば、金融情報、スポーツ情報、ビジネス情報、個人情報、コンピュータ情報、性能情報、余興情報、健康情報、ゲーム情報、またはその他の情報である。図１３に示すように、情報システムの一実施態様は、異なる変数に関する複数の情報信号を受け取ることができる。例えば、システムは、気象情報、金融情報、およびスポーツ試合のスコアに関する情報を受け取ることができる。次いで、このシステムは、情報の種類に対応して側面パネルを照明する有色光として情報を表示する。例えば、スポーツ試合スコアは、色制御信号に変換されて、この色制御信号を使用して、フットボール形の意匠を含むパネル１３０２を照明する、ＬＥＤ１４０４を制御することができる。
【００８１】
一実施態様において、情報システムは、図１３に示すキューブ、ピラミッド、十二面体、球、ポリゴン、四面体、円錐、直方体、奇抜な形状などのその他の形状を含むことができる。パネルおよび／または意匠は、情報システムに永久的に固定するか、または取り外し可能に取り付けてもよい。永久的に取り付けられるときには、プロセッサ１５０２は、特定の制御信号を特定の組のＬＥＤに通信するように配設することができる。例えば、スポーツ情報がデータポート１５０８上で受領されると、プロセッサは、スポーツパネルを照明するように配設されたＬＥＤに向けて制御信号を送ることができる。このような情報の方向付けを達成する方法の１つは、入力ポート１５０８を介して、それぞれの種類の情報が情報種類を識別する識別子を含む、異なる種類の情報信号を受け取る方法である。この情報には、例えばヘッダーを含めることができる。情報システムが情報信号を受け取ると、プロセッサは、特定の種類の情報に対応するメモリ１５０４から、制御信号を検索し、適切なパネル内のＬＥＤに制御信号を通信することができる。パネルまたは意匠が取り外し可能に取り付けられている場合には、パネルおよび／または意匠に、その形態を表す特徴を含め、この特徴をプロセッサによって受け取り、特定のパネルを情報の種類に特定することができる。
【００８２】
一実施態様においては、情報システムは、キューブまたはその他の形状であり、キューブの全体または大部分を照明することができる。パネル１３０２は、特定の情報源と関連付けられているが、キューブ全体が照明されているように見える。例えば図１６に示すように、キューブの方位を変更すると、情報源または情報ディスプレイを変えることができる。キューブは、位置志向（position-oriented）のスイッチまたはデバイスを含み、スイッチの位置が、どの情報源が表示されるかを決定することができる。例えば、このスイッチは、重力動作スイッチまたは、金属ボールが経路を移動して、複数の接点の１つと接触する位置起動スイッチ、またはその他の任意のスイッチでよい。一実施態様においては、情報システムは、異なる種類の情報を、通信ポート１５０８を介して受け取り、この情報システムは、表示する情報を、スイッチ位置を介して選択することができる。一実施態様においては、情報システムは一種類の情報のみを受け取り、その情報の供給源または種類は、スイッチ位置によって決定することができる。このスイッチ位置は、情報源にも通信されて、情報信号の通信を開始する。
【００８３】
図１７は、本発明の一実施態様を示し、この実施態様においてはユーザインタフェース１７０２を用いて、情報システムで表示する情報の種類が決定される。このユーザインタフェースは、スイッチ、ダイアル、スライダまたはその他の任意の種類のインタフェースでよい。ユーザインタフェースは、電線または無線のデバイスとすることができる。図１８は、本発明のさらに別の実施態様を示し、この態様では、表示すべき情報の選択は、クレードルまたはベース内のデバイスの位置によって生成される。キューブは例えば、機構１８０８と関連させ、ベース１８０２は、受け取る機構１８０４と関連させることができる。この機構のパターン、またはその他の識別子は、表示すべき情報を決定することができる。
【００８４】
図１９は、本発明の原理による別の情報システムを示す。この実施態様のパネル１３０２は、三角形であり、互いにオーバラップして配置されている。パネル１３０２は、エッジライト照明が可能であり、すなわち１つまたは複数のパネル縁端を介して光を投入することによってパネルをライティングするようにＬＥＤ１４０４を配設することができる。各パネル１３０２は、異なるＬＥＤ１４０４、またはＬＥＤ１４０４の組によって、各パネルが独立に照明されるようにライティングすることができる。
本発明を、いくつかの説明のための実施態様を用いて記述したが、これらの実施態様は、本発明を限定するために使用すべきではない。例えば、本明細書に記載する実施態様の多くは、プロセッサおよびメモリが、ＬＥＤが位置するハウジング内部にあることを示しているが、これらの要素は、照明デバイスから遠方にあってもよい。第２のプロセッサを用いて、情報信号を照明システムに通信してもよく、または第２のプロセッサを用いて制御信号をＬＥＤに通信してもよい。例えばコンピュータが、ワールドワイドウエブからの情報を検索して、スカラ情報（scalar information）を情報システムに通信してもよい。コンピュータはまた、照明または情報システムに通信するための制御信号を生成するのに使用することもできる。
【００８５】
本発明の別の実施態様は、液晶ディスプレイパネルなどのディスプレイスクリーンのバックライト用の照明を提供する。高輝度ＬＥＤの到来によって、ＬＥＤによる一般照明および物体の照明は、多くの用途において、実行可能で、効率的な、経済的かつ長寿命の解決策となった。米国特許第６，０１６，０３８号は、ＬＥＤディスプレイのライティングおよび照明制御の方法および使用について記載している。この技術はまた、物体の明るい照明をもたらす、ＬＥＤを用いた材料のエッジライト照明、バックライト照明、サーフェスライト照明、透過照明を可能にした。この効果は、物体を一体色にライティングすること、物体の光強度を変更すること、物体の色を変更することに使用するか、あるいは、この効果は、別個の物体による、またはその物体間の、色彩効果または協調色彩効果の動的形態をとることができる。
物体を、１つまたは複数のＬＥＤでライティングして、照明を提供することができる。１つのＬＥＤを使用する場合には、物体は、強度の変化する単一色でライティングするか、または強度は固定される。好ましい一実施態様においては、ライティングされる物体は、複数のＬＥＤを含み、これらのＬＥＤは異なる色である。前述のように、好ましい一実施態様においては、ＬＥＤ制御信号は、１６７０万色を生成するために、少なくともチャネル当たり１つのＬＥＤを備える３つのＬＥＤチャネルを用いてマイクロプロセッサによって生成されるＰＷＭ信号である。この技術は、米国特許第６，０１６，０３８号に記載されている。
【００８６】
一実施態様においては、本明細書で開示するのは、色変更バックライトシステムを備える、モノクロ画像ＬＣＤスクリーンである。バックライトシステムは、照明用、コントラスト増強用、情報提供用、装飾目的、またはその他のいかなる理由でも使用されることがある。デバイスの色を変更する便益を備えると共に、低コスト、高効率のＬＣＤディスプレイを提供することも有用であろう。
図２０を参照すると、色変更バックライトシステムを提供するために、複数の異なるカラーＬＥＤを提供することができる。ＬＥＤは、ＬＣＤスクリーンを背後から照明するように方向づけされ、これによって通電された液晶ブロックが光の一部を阻止するようにすることができる。図２１に示すように、ＬＥＤ２１０６を、第２の表面２１０４をライティングするように配設することによって、第２の表面が均一に照明されているように見えるようにすることができる。この第２の表面は、ＬＣＤスクリーン２００２の背後に配置して、バックライト表面を提供することができる。第２の表面２１０４は、バックライト、エッジライト、サーフェスライト、透過ライト、またはその他のライティング方法によってライティングすることができる。
【００８７】
一実施態様においては、コントローラ２１０８が提供されて、ＬＥＤを制御し、コントローラ２１０８は、プログラム信号入力と関連づけられている。プログラム信号には、ライティングシステム用の情報を含めることができる。信号は、ディジタルまたはアナログフォーマットにすることができる。信号がアナログフォーマットである場合には、Ａ／Ｄコンバータを備えて、信号をディジタルに変換してもよい。ディジタル信号を受け取ると、コントローラはＬＥＤへの制御信号を開始することができる。好ましい一実施態様においては、制御信号は、プログラム信号に対応するパルス幅変調信号である。例えば、システムに、ライティング制御信号を記憶するためのメモリを設け、このメモリをコントローラと関係づけることができる。記憶されたプログラムは、特定の色、色変更効果、またはその他のライティング状態などの特定のプログラム信号を表してもよい。ユーザが背景として青色を選択したというプログラム信号を受け取ると、コントローラは、青制御信号を起動してバックライトを青状態に変更する。
【００８８】
このシステムは、ボタン、ダイアル、セレクタスイッチまたは、所望のプログラム信号を開始するためのその他のセレクタなどのユーザセレクタを備えることができる。例えば、システムは、いくつかのプログラムを移動するボタンを備えてもよい。プログラム名は、ＬＣＤスクリーン上に図示するか、または別の場所に表示することができる。多くの応用においては、ＬＣＤスクリーンは、ボタン、スクリーン起動選択またはその他のセレクタ機構を有する別のデバイスの部分である。これらのセレクタ機構を使用して、バックライトシステムにプログラム信号を供給することもできる。別のデバイスにおいては、ＬＣＤスクリーンは、プログラム信号を送るデバイスと分離されており、プログラム信号は、電磁波伝送、ＲＦ伝送、ＩＲ伝送、マイクロ波伝送、音響伝送、電線、ケーブル、ネットワークまたはその他任意の通信方法を介して送信することができる。
【００８９】
好ましい一実施態様において、色変更バックライトシステムは、電話のＬＣＤスクリーンの部分である。多くの電話器は、ＬＣＤスクリーンをユーザインタフェースの部分として備えている。先述したように、これらのＬＣＤスクリーンは、一般に単色バックライトシステムを備える単色性である。この発明によると、バックライトシステムは、快適な色変更効果を提供したり、または情報を提供するのに用いることができる。この電話器は、電話、フォン（phone）、セルラーフォン、通信デバイス、ディジタルフォン、アナログフォン、サテライトフォン、またはその他の任意の種類の電話器とすることができる。コントローラは、プログラム信号入力を有し、プログラム信号は、ボタンまたはその他のユーザインタフェースを介して提供される。プログラム信号は、フォン通常通信方法によってフォンに通信することもできる。この伝送は、セルラーフォン用のマイクロウエーブ伝送、陸上式フォンまたはその他の通信伝送方法用の有線伝送とすることができる。
【００９０】
プログラム信号は、個別の伝送とすることもできる。この伝送には、着信発信元（発信者番号）についての情報、およびその他の情報を含めることができる。ＬＣＤスクリーンのバックライトは、発信者番号情報または受領した他の情報に対応して色を変えることができる。例えば、バックライトシステムは、メモリと関連し、メモリはいくつかのライティング制御プログラムでプログラムすることができる。ライティング制御プログラムの１つは、バックライトシステムを赤に変えるものであり、別のプログラムは、ライティングを緑に変えるものとしてもよい。ユーザは、発信者番号情報をフォン中にロードし、これによって特定の通話を受信したときに、フォンスクリーンが赤に変わり、ユーザがフォンに答えてはいけないことを示すようにできる。これは、スクリーン上の情報を読む必要なく、ユーザに発信者番号について注意を促す、非常に迅速で効率的な方法である。着信が、ユーザがその電話に答えたいという情報を提供することを特定した人からのものであるときに、スクリーンが緑に変わるようにしてもよい。特定の番号に対して、スクリーンの色を、青から赤に、その間のすべてのカラーを含んで、迅速に変化させるなどの色変更効果を提供するようにプログラムすることができる。
【００９１】
プログラム入力は、センサと関連づけることもできる。センサは、温度またはその他の状態を表す信号を提供し、この情報をＬＣＤスクリーン内の、色または色変更効果に変換することができる。センサが、アナログ電圧信号を提供する場合には、アナログ・ディジタルコンバータを備えて、その信号をディジタル信号に変更することもできる。
図２２は、バックライトパネルのエッジライト照明に使用できる、ＬＥＤ配列２２０２を示す。ＬＥＤ２１０６は、赤、緑、次いで青などのように交代に配設するか、または投射された光の色混合を提供するその他の任意の配設で配列することができる。この配列は、バックライトパネルの１つの縁端に取り付け、ミラーまたはその他の反射表面を反対側の表面に配置することができる。１つまたは複数のＬＥＤ配列を、与えられる任意のバックライト面上に使用することができる。
【００９２】
発信者番号を、フォンから分離して、スタンドアローンデバイスとすることもできる。発信者番号システムは、ライティングされた物体または材料としてもよく、ＬＣＤスクリーンには限定されない。例えば、複数の異なるカラーＬＥＤを備えて、材料、透明材料、半透明材料または照明もしくは有色光の表示を提供するその他の任意の材料をライティングすることもできる。システムには、ＬＥＤを制御するためのコントローラと共に、情報を受け取るためのプログラム信号入力を含めることができる。受け取る情報には、発信者の発信元に関する情報を含め、この情報をデバイスの色を変化させるのに使用することもできる。この種のライティングデバイスは、情報システムとして使用すると共に、装飾ランプとしても使用することができる。ランプは、テーブル装着、天井装着、床装着、壁装着、手持ちデバイス、携帯デバイスまたはその他任意の構成とすることができる。システムは、一般照明のために使用することができ、次いでランプが色を変更することによって、通話の発信元を示してもよい。
【００９３】
ＬＣＤバックライトシステムが受け取る情報は、任意の種類の情報とすることができる。好ましい一実施態様においては、情報は、対応するライティング制御信号に変換されて、有色また色変更ＬＣＤスクリーンを介して情報を提供することができる。これは、金融情報、環境情報、状態、タイミング、バッテリ電力、またはその他の情報を表示するのに使用することができる。Color Kinetics（カラキネテックス）社からの関連する仮出願、「LED Based Lighting Systems and Methods for Vehicles.（車両用ＬＥＤライティングシステムおよび方法）」を参照されたい。バックライトシステムを、情報の供給源として使用する一例は、ユーザが企業の株式の値を監視したい場合である。株式価格に関する情報は、色変更バックライトシステムを備えるセルラーフォンによって、受信することができる。この情報を次いで、ライティング制御信号に変換して、バックライトシステムの色を変更してもよい。
【００９４】
ＬＣＤスクリーンは、株価が所定の高値に達したときに緑を点滅させるか、または取引高が高いときに、シアン色に変化さえてもよい。スクリーンは、迅速またはゆっくりと色を変えて、株式取引の終了を表示してもよい。これらの作用を、ライティングシステムにプログラムして組み込み、情報を受け取るときに、ライティングシステムが、メモリから対応するライティング制御信号を起動することもできる。このシステムはまた、ライティング制御信号の形態で、ライティング制御のためにＬＥＤに送るべき情報を受け取るように配設することができる。別の方法は、ライティング制御情報を含む信号を受け取ることである。この情報を復号化することによって、ライティング制御情報はライティングシステムに通信され、その他の情報は、別のデバイスに通信される。
【００９５】
色変更ＬＣＤスクリーンは、その他の情報システムを補完または代替するために使用することができる。例えば、電話が鳴ると、カラースクリーンが、色を変化させるか、または異なる色を点滅させて、着信呼を表示することができる。吹鳴システムおよび振動システムは作動停止として、着信の可視表示を可能にすることもできる。色変更ディスプレイの別の有用な例として、色変更ディスプレイを、ゲームシステムと接続して使用する場合がある。バックライトシステムは、受け取った信号に応答して色を変えることができる。バックライトはまた、色を変えることによって、ゲームにおいてあるレベルに達したこと、または付近に危険な捕食者が潜んでいることを表すことができる。これによって、ゲーム体験から得られる楽しさを増大する、別のレベルの相互作用がユーザに提供される。ハンドヘルド式ゲームシステムの普及版に、ゲームボーイ（Gameboy）がある。このゲームは、モノクロ画像ＬＣＤを含み、色変更バックライトシステムを備えることもできる。ゲーム中に走るソフトウエアをプログラムして、ゲームの特定の状況に合わせて、バックライトの色を変更することもできる。また代理人整理番号ＣＫＣ−３０．６０、「Digital Entertainment II.」および代理人整理番号ＣＫＣ−１２．０６、「Lighting Entertainment System.」を参照されたい。
【００９６】
当業者には明らかなように、色変更バックライトシステムは、電話、フォン、セルラーフォン、ディジタルフォン、アナログフォン、通信デバイス、ゲームデバイス、携帯ゲームデバイス、パーソナルディジタルアシスタンツ、ページャ、計算機、携帯デバイス、コンピュータ、情報デバイス、情報スクリーン、表示スクリーン、ＭＰ３プレーヤー、音楽プレーヤー、ＣＤプレーヤー、ＤＶＤプレーヤー、またはその他のデバイスを含む、ＬＣＤスクリーンが有用な場所において使用することができる。
本明細書で開示する別の実施態様は、パッケージ、コンテナまたは類似品目の状態のインジケータとなる、情報および照明システムである。図２３は、インテリジェントパッケージインジケータ２３０４を備えるパッケージ２３０２を示す。パーケージインジケータ２３０４は、限定はされないが、パッケージ、ボックス、コンテナ、生鮮品用コンテナ、血液用コンテナ、人体部分用コンテナ、衣料、食品、自動車、電話、コンピュータ、物品、服飾品またはその他の任意の物体を含む、任意の物体に取り付けることができる。インジケータ２３０４には、プロセッサを備える複数のＬＥＤを含めることもできる。このプロセッサは、パルス幅変調信号（ＰＷＭ）、アナログ電圧制御、レジスタラダーによるか、またはその他任意の制御技術によってＬＥＤを制御することもできる。複数の異なる色のＬＥＤを組み合わせて使用するときに、各ＬＣＤからの照明は、他のものと混合して、混合色を投影することができる。上記のように、好ましい一実施態様においては、少なくとも１チャネル当たり１つのＬＥＤを備える３つのＬＥＤチャネルを使用してマイクロプロセッサによって生成されるＰＷＭ信号を使用する制御回路は、１６７０万色を生成することができる。
【００９７】
図２４を参照すると、好ましい一実施態様においては、フロー図２４００は、それによってインジケータのプロセッサ２４０２がステップ２４０４においてプログラム信号を受け取り、ステップ２４０８でインジケータの色を変更することのできる、フローステップを示す。プログラム信号は、タイミング回路、センサ、トランスデューサ、またはプログラム信号を生成するためのその他任意のデバイスから供給することができる。一実施態様においては、入力はセンサ２４１０から供給される。プログラム信号は、限定はされないが、温度、時間、湿度、衝撃、振動、騒音、電気信号または電磁気信号を表すことができる。例えば、パッケージは、棚寿命が３日であり、このためにパッケージインジケータは、製品が棚に置かれる時間または輸送されている時間を監視するタイミング装置を装着してもよい。その期間が経過すると、インジケータの色が変化する。インジケータは、最初の１２時間は緑であり、３日目の終わりまでに徐々に赤に変化し、パッケージの内容物が損なわれている可能性があることを示すことができる。インジケータは、バッテリパワーを保存するために、間欠的に点灯してもよい。例えば、インジケータが５秒毎に０．１秒間、その色を発光するようにしてもよい。インジケータは、連続点灯モード、または識別を容易にするための別のモードに入れるためのボタンスイッチまたはその他のスイッチを備えてもよい。顧客は、この機能を使用して、色を識別しやすくすることができる。
【００９８】
パッケージインジケータが有用である別の例としては、パッケージ内容物を高温または低温にさらすことが禁止される場合がある。温度検知デバイスを、インジケータと関連づけて、インジケータが輸送中の温度条件に応じてその色を変化させることができる。これは、生鮮品の輸送にも有用である。プロセッサはさらに、温度センサによって供給される温度データを処理し、かつ解釈する。例えば、プロセッサは、温度条件に違反がないときには、緑などの「ＯＫ」色を生成し、１つまたは複数の温度条件に違反があるときには、赤などの「非ＯＫ」色を生成してもよい。温度条件には、最大温度と共に、温度測定の時間経過の積分によって求められる最大時間温度を含めることができる。低温に弱い材料に対しては、プロセッサは、所定の最少値を下回るすべての温度測定値を積分してもよい。積分温度測定値は、パッケージ内容物の温度変化に対する感度に応じて、高温の異なる期間を合計するなどのように、加法によっても、よらなくてもよい。図２は、パッケージインジケータの動作を示すブロック図を示す。
【００９９】
異なる環境条件を、同時に追跡することもできる。例えば、同時に測定される湿度に応じて、高温だけを関係させるか、または重み付けを変えることができる。パッケージが航空便で輸送されるような場合には、空気圧力を追跡することもできる。プロセッサは、プロセッサにデータを供給するセンサについて、環境条件の任意の組み合わせおよび期間を監視することができる。
インジケータには、外部信号を受信するセンサを含めることができる。この受信装置は、限定はされないが、電磁気、ＲＦ、ＩＲ、マイクロ波、ケーブル、電線、無線、ネットワークまたはその他任意の信号を受信することができる。輸送されるパッケージまたはデバイスには、環境条件を表す信号を送信する送信装置を含めることができる。その他のデバイスも、インジケータデバイスに信号を送信するための送信装置を備えてもよい。例えば、パッケージの内容物に、送信装置を装備してもよい。この送信装置は、インジケータに信号を送り、パッケージの状態を表すことができる。別の用途においては、外部送信装置が、インジケータに信号を送ることによって、インジケータプログラムを変更するか、または記憶情報の検索処理を開始する。
【０１００】
インジケータには、出荷事象またはその他の関連事象に関する情報を記憶するためのメモリを設けてもよい。例えば、パッケージが送り主の手を離れてから、３０分毎に温度を表わす、温度データを記憶してもよい。この情報は、後に検索して保管状態の証拠を提供することができる。
インテリジェントパッケージインジケータを使用する、倉庫在庫管理の方法も提供される。このインジケータは、倉庫内のパッケージ上に整列されて、倉庫マネージャが、インジケータを目視で検査することができる。棚の上の在庫を非常に迅速に走査することによって、マネージャは、どの在庫が新鮮であり、どの在庫が品質低下を防ぐために迅速に処理する必要があるかを判別することができる。またインジケータに、赤外線ＬＥＤを備えて、パッケージを秘匿監視できるようにすることもできる。これは、顧客が、目視インジケータに基づいて結論を導くことを防止するのに有用である。赤外信号は、ＩＲ観察光学デバイス、またはＩＲ信号を観察するために使用される、その他任意のデバイスを介して見ることができる。ＩＲ信号は、他のデバイスが受け取る、データとして伝送することもできる。これによって、インジケータは、限定はされないが、手持ち式デバイスなどの別のデバイスと通信することができる。
【０１０１】
このデバイスには、製品が小売り用に配置されるときに、インジケータをリセットするためのインタフェースを含めることができる。ボタン、またはその他のインタフェースデバイスを使用して、インジケータをカスタマーモードに設定することができる。これによって、ある出荷パラメータに合わせると共に、運送が完了すると、次いでインジケータをカスタマーモードに再設定して小売りクロックを開始させることが可能になる。
このデバイスは、パッケージの状態を表示する単一ＬＥＤを用いて実現することができる。この例においては、赤は、パッケージがＯＫでないことを意味し、緑はパッケージがＯＫであることを意味する。追加のＬＥＤを使用して、その他の状態を表してもよい。例えば、黄色ＬＥＤを設けて、ある所定の環境条件をわずかに超えたことを表してもよい。一列のＬＥＤを設けて、パッケージ物品の期限切れまでに残された時間を表示してもよい。プロセッサは、数字を表示するために、２値符号化１０進数、または英数字のＬＥＤディスプレイドライバ出力を供給することもできる。この数字で、例えば、品質レベル（０から１００の間）、週または日単位の残期限、時間およびその他の環境条件に基づく期限切れ日時を表すことができる。
【０１０２】
【表１】
2004524650.tif 000003
【０１０３】
【表２】
2004524650.tif 000004
【０１０４】
【表３】
2004524650.tif 000005
【０１０５】
【表４】
2004524650.tif 000006
【０１０６】
【表５】
2004524650.tif 000007
【０１０７】
【表６】
2004524650.tif 000008
【０１０８】
【表７】
2004524650.tif 000009
【０１０９】
【表８】
2004524650.tif 000010
【０１１０】
【表９】
2004524650.tif 000011
【０１１１】
【表１０】
2004524650.tif 000012
【０１１２】
【表１１】
2004524650.tif 000013
【図面の簡単な説明】
【０１１３】
【図１】本明細書において開示する照明構成要素を備える情報システムの構成要素を示すシステム図である。
【図２】照明構成要素を装備するラップトップコンピュータを示す図である。
【図３】図１の情報システムの照明構成要素の実施態様を示す図である。
【図４】照明および情報システムの第２の実施態様を含む図である。
【図５】照明および情報システム用の室内環境を示す図である。
【図６】情報のアイテムを、設定された形式の照明に変換するためのフロー図である。
【図７】情報を照明に変換するステップのフロー図である。
【図８】照明制御用の要素の概略図である。
【図９】車両用の照明システムのタコメータ実施態様を示す図である。
【図１０】照明システムの要素の概略図である。
【図１１】ネットワーク化照明システムの概略図である。
【図１２】ネットワーク化照明システムの代替実施態様の概略図である。
【図１３】情報および照明システムの情報キューブ実施態様の図である。
【図１４】発光ダイオードの配列によってライティングされて、情報を伝達するためのパネルを示す図である。
【図１５】複数の発光ダイオードに制御を提供するための構成要素の概略図である。
【図１６】様々な動作モードを有する情報キューブの実施態様を示す図である。
【図１７】図１６のキューブの代替実施態様を示す図である。
【図１８】マニュアル入力を備える情報および照明システムの実施態様を示す図である。
【図１９】情報および照明システムの実施態様を示す図である。
【図２０】バックライト式ＬＣＤディスプレイを備えるハンドヘルドデバイスを示す図である。
【図２１】照明および情報システムのバックライト式ＬＣＤディスプレイ実施態様の構成要素を示す図である。
【図２２】照明および情報システムのバックライト式ＬＣＤディスプレイ用の構成要素を示す図である。
【図２３】照明および情報システムのパッケージインジケータ実施態様を示す図である。
【図２４】照明および情報システム用のフロー図である。
【図１】
2004524650.tif 000014
【図２】
2004524650.tif 000015
【図３】
2004524650.tif 000016
【図４】
2004524650.tif 000017
【図５】
2004524650.tif 000018
【図６】
2004524650.tif 000019
【図７】
2004524650.tif 000020
【図８】
2004524650.tif 000021
【図９】
2004524650.tif 000022
【図１０】
2004524650.tif 000023
【図１１】
2004524650.tif 000024
【図１２】
2004524650.tif 000025
【図１３】
2004524650.tif 000026
【図１４】
2004524650.tif 000027
【図１５】
2004524650.tif 000028
【図１６】
2004524650.tif 000029
【図１７】
2004524650.tif 000030
【図１８】
2004524650.tif 000031
【図１９】
2004524650.tif 000032
【図２０】
2004524650.tif 000033
【図２１】
2004524650.tif 000034
【図２２】
2004524650.tif 000035
【図２３】
2004524650.tif 000036
【図２４】
2004524650.tif 000037
【国際公開パンフレット】
2004524650.tif 000038
2004524650.tif 000039
2004524650.tif 000040
2004524650.tif 000041
2004524650.tif 000042
2004524650.tif 000043
2004524650.tif 000044
2004524650.tif 000045
2004524650.tif 000046
2004524650.tif 000047
2004524650.tif 000048
2004524650.tif 000049
2004524650.tif 000050
2004524650.tif 000051
2004524650.tif 000052
2004524650.tif 000053
2004524650.tif 000054
2004524650.tif 000055
2004524650.tif 000056
2004524650.tif 000057
2004524650.tif 000058
2004524650.tif 000059
2004524650.tif 000060
2004524650.tif 000061
2004524650.tif 000062
2004524650.tif 000063
2004524650.tif 000064
2004524650.tif 000065
2004524650.tif 000066
2004524650.tif 000067
2004524650.tif 000068
2004524650.tif 000069
2004524650.tif 000070
2004524650.tif 000071
2004524650.tif 000072
2004524650.tif 000073
2004524650.tif 000074
2004524650.tif 000075
2004524650.tif 000076
2004524650.tif 000077
2004524650.tif 000078
2004524650.tif 000079
2004524650.tif 000080
2004524650.tif 000081
2004524650.tif 000082
2004524650.tif 000083
2004524650.tif 000084
2004524650.tif 000085
2004524650.tif 000086
2004524650.tif 000087
2004524650.tif 000088
2004524650.tif 000089
2004524650.tif 000090
2004524650.tif 000091
2004524650.tif 000092
2004524650.tif 000093
2004524650.tif 000094
2004524650.tif 000095
2004524650.tif 000096
2004524650.tif 000097
2004524650.tif 000098
2004524650.tif 000099
2004524650.tif 000100
2004524650.tif 000101
2004524650.tif 000102
2004524650.tif 000103
2004524650.tif 000104
2004524650.tif 000105
2004524650.tif 000106
2004524650.tif 000107
2004524650.tif 000108
2004524650.tif 000109
2004524650.tif 000110
2004524650.tif 000111
2004524650.tif 000112
2004524650.tif 000113
2004524650.tif 000114
2004524650.tif 000115
2004524650.tif 000116
2004524650.tif 000117
2004524650.tif 000118
2004524650.tif 000119
2004524650.tif 000120
2004524650.tif 000121
2004524650.tif 000122
2004524650.tif 000123
2004524650.tif 000124
2004524650.tif 000125
2004524650.tif 000126
2004524650.tif 000127
2004524650.tif 000128
2004524650.tif 000129
2004524650.tif 000130
2004524650.tif 000131
2004524650.tif 000132
2004524650.tif 000133
2004524650.tif 000134
2004524650.tif 000135
2004524650.tif 000136
2004524650.tif 000137
2004524650.tif 000138
2004524650.tif 000139
2004524650.tif 000140
2004524650.tif 000141
2004524650.tif 000142
2004524650.tif 000143
2004524650.tif 000144
2004524650.tif 000145
2004524650.tif 000146
2004524650.tif 000147
2004524650.tif 000148
2004524650.tif 000149
2004524650.tif 000150
2004524650.tif 000151
2004524650.tif 000152
2004524650.tif 000153
2004524650.tif 000154
2004524650.tif 000155
2004524650.tif 000156
2004524650.tif 000157
2004524650.tif 000158
2004524650.tif 000159
2004524650.tif 000160
2004524650.tif 000161
【国際公開パンフレット（コレクトバージョン）】
2004524650.tif 000162
2004524650.tif 000163
【国際公開パンフレット（コレクトバージョン）】
2004524650.tif 000164
2004524650.tif 000165
2004524650.tif 000166
2004524650.tif 000167
2004524650.tif 000168
2004524650.tif 000169
2004524650.tif 000170
2004524650.tif 000171
2004524650.tif 000172
2004524650.tif 000173
2004524650.tif 000174
2004524650.tif 000175
2004524650.tif 000176
2004524650.tif 000177
2004524650.tif 000178
2004524650.tif 000179
2004524650.tif 000180
2004524650.tif 000181
2004524650.tif 000182
2004524650.tif 000183
2004524650.tif 000184
2004524650.tif 000185
2004524650.tif 000186
2004524650.tif 000187
2004524650.tif 000188
2004524650.tif 000189
2004524650.tif 000190
2004524650.tif 000191
2004524650.tif 000192
2004524650.tif 000193
2004524650.tif 000194
2004524650.tif 000195
2004524650.tif 000196
2004524650.tif 000197
2004524650.tif 000198
2004524650.tif 000199
2004524650.tif 000200
2004524650.tif 000201
2004524650.tif 000202
2004524650.tif 000203
2004524650.tif 000204
2004524650.tif 000205
2004524650.tif 000206
2004524650.tif 000207
2004524650.tif 000208
2004524650.tif 000209
2004524650.tif 000210
2004524650.tif 000211
2004524650.tif 000212
2004524650.tif 000213
2004524650.tif 000214
2004524650.tif 000215
2004524650.tif 000216
2004524650.tif 000217
2004524650.tif 000218
2004524650.tif 000219
2004524650.tif 000220
2004524650.tif 000221
2004524650.tif 000222
2004524650.tif 000223
2004524650.tif 000224
2004524650.tif 000225
2004524650.tif 000226
2004524650.tif 000227
2004524650.tif 000228
2004524650.tif 000229
2004524650.tif 000230
2004524650.tif 000231
2004524650.tif 000232
2004524650.tif 000233
2004524650.tif 000234
2004524650.tif 000235
2004524650.tif 000236
2004524650.tif 000237
2004524650.tif 000238
2004524650.tif 000239
2004524650.tif 000240
2004524650.tif 000241
2004524650.tif 000242
2004524650.tif 000243
2004524650.tif 000244
2004524650.tif 000245
2004524650.tif 000246
2004524650.tif 000247
2004524650.tif 000248
2004524650.tif 000249
2004524650.tif 000250
2004524650.tif 000251
2004524650.tif 000252
2004524650.tif 000253
2004524650.tif 000254
2004524650.tif 000255
2004524650.tif 000256
2004524650.tif 000257
2004524650.tif 000258
2004524650.tif 000259
2004524650.tif 000260
2004524650.tif 000261
2004524650.tif 000262
2004524650.tif 000263
2004524650.tif 000264
2004524650.tif 000265
2004524650.tif 000266
2004524650.tif 000267
2004524650.tif 000268
2004524650.tif 000269
2004524650.tif 000270
2004524650.tif 000271
2004524650.tif 000272
2004524650.tif 000273
2004524650.tif 000274
2004524650.tif 000275
2004524650.tif 000276
2004524650.tif 000277
2004524650.tif 000278
2004524650.tif 000279
2004524650.tif 000280
2004524650.tif 000281
2004524650.tif 000282
【国際調査報告】
2004524650.tif 000283
2004524650.tif 000284
2004524650.tif 000285
2004524650.tif 000286
2004524650.tif 000287